(57)【特許請求の範囲】
【請求項１】
配信される情報データが記憶された配信情報記憶手段と、予め個人識別データを記憶する個人識別データ記憶手段とを有し、上記情報データの送信を含む無線による通信を行う基地装置と、
使用者の個人識別情報を取得する個人識別情報取得手段と、この個人識別情報取得手段で取得した個人識別情報を発信する手段とを有し、上記基地装置周辺の所定の領域において、当該基地装置から送信された上記情報データの受信を含む無線による通信を当該基地装置と行う携帯端末装置とから構成され、
上記基地装置は、
上記個人識別データ記憶手段に記憶されている個人識別データと上記携帯端末装置から発信された上記個人識別情報とを比較し、
上記個人識別データの中から上記個人識別情報に対応するデータが特定できた場合には、上記配信情報記憶手段に記憶された上記情報データを上記携帯端末装置に送信し、
上記携帯端末装置は、上記基地装置から受信した上記情報データを表示する液晶部を有し、
上記個人識別情報取得手段は、上記液晶部に設けられた指紋識別センサと、この指紋識別センサによって読み取られた指紋を指紋データに変換する指紋データ変換手段とからなることを特徴とする配信システム。
【請求項２】
配信される情報データが記憶された配信情報記憶手段と、予め個人識別データを記憶する個人識別データ記憶手段とを有し、上記情報データの送信を含む無線による通信を行う基地装置と、
使用者の個人識別情報を取得する個人識別情報取得手段と、この個人識別情報取得手段で取得した個人識別情報を発信する手段とを有し、上記基地装置周辺の所定の領域において、当該基地装置から送信された上記情報データの受信を含む無線による通信を当該基地装置と行う携帯端末装置とから構成され、
上記基地装置は、
上記個人識別データ記憶手段に記憶されている個人識別データと上記携帯端末装置から発信された上記個人識別情報とを比較し、
上記個人識別データの中から上記個人識別情報に対応するデータが特定できた場合には、上記配信情報記憶手段に記憶された上記情報データを上記携帯端末装置に送信し、
上記携帯端末装置は、上記基地装置から受信した上記情報データを表示する液晶部を有し、
上記個人識別情報取得手段は、上記液晶部に設けられたペン入力センサと、このペン入力センサによって読み取られた筆跡を文字パターンデータに変換する文字パターンデータ変換手段とからなることを特徴とする配信システム。
【請求項３】
配信される情報データが記憶された配信情報記憶手段と、予め個人識別データを記憶する個人識別データ記憶手段とを有し、上記情報データの送信を含む無線による通信を行う基地装置と、
使用者の個人識別情報を取得する個人識別情報取得手段と、この個人識別情報取得手段で取得した個人識別情報を発信する手段とを有し、上記基地装置周辺の所定の領域において、当該基地装置から送信された上記情報データの受信を含む無線による通信を当該基地装置と行う携帯端末装置とから構成され、
上記基地装置は、
上記個人識別データ記憶手段に記憶されている個人識別データと上記携帯端末装置から発信された上記個人識別情報とを比較し、
上記個人識別データの中から上記個人識別情報に対応するデータが特定できた場合には、上記配信情報記憶手段に記憶された上記情報データを上記携帯端末装置に送信し、
上記基地装置には、登録された個人の情報開示レベルに応じたプロファイル情報の記憶手段が設けられると共に、上記配信情報記憶手段には、上記配信される情報データの他に、上記プロファイル情報に関連したアナウンス情報が記憶され、このアナウンス情報および上記プロファイル情報の送信を含む無線による通信が行われると共に、
携帯端末装置には、さらに個人のプロファイル情報を指示した開示レベルで開示するための送信処理手段を有し、
上記基地装置は、上記個人識別データの中から上記個人識別情報に対応するデータが特定できた場合には、上記携帯端末装置からの情報開示レベルに応じたプロファイル情報を、上記個人識別情報を送信した携帯端末装置以外の携帯端末装置であって、上記基地装置で認識したエリア内に存在する携帯端末装置に送信する
ことを特徴とする配信システム。
【請求項４】
上記アナウンス情報は、紹介アナウンスなしで上記プロファイル情報が配信される自動モードに対し、上記紹介アナウンスの後で上記プロファイル情報が配信される紹介モード時のアナウンス情報である
ことを特徴とする請求項３記載の配信システム。
【請求項５】
上記送信処理手段では、携帯端末装置に設けられた液晶部が使用され、この液晶部に設定メニューが表示され、この設定メニューに基づいて上記情報開示レベルが指定されると共に、
メッセージ情報と共に上記情報開示レベルを示す情報が送信される
ことを特徴とする請求項３記載の配信システム。
【請求項６】
上記基地装置では、参加者全員のプロファイル情報をリストアップして頻度の高い共通項目を抽出し、抽出した共通項目から関連資料を検索、収集したのち、そのアウトラインを上記携帯端末装置の全てに配信する情報処理手段を有する
ことを特徴とする請求項３記載の配信システム。
【請求項７】
上記参加者全員のプロファイル情報をリストアップして頻度の高い共通項目を抽出し、抽出した共通項目から関連資料を検索、収集したアウトラインを上記携帯端末装置に配信した後で、上記複数の携帯端末装置のうち代表となる１つの携帯端末装置よりの返信に基づいて、上記関連資料を決定して、その関連資料の情報を上記携帯端末装置の全てに配信するようにした
ことを特徴とする請求項３記載の配信システム。
【請求項８】
配信される情報データが記憶された配信情報記憶手段を有する基地装置から、上記情報データを無線により携帯端末装置に送信する配信方法において、
携帯端末装置に設けられた個人識別情報取得手段により使用者の個人識別情報を取得し、取得されたこの個人の識別情報を基地装置に無線により発信するステップと、
上記携帯端末装置から発信された上記個人識別情報を上記基地装置が受信し、当該個人識別情報と上記基地装置に設けられた個人識別データ記憶手段に予め記憶された個人識別データとを比較するステップと、
上記個人識別データの中から上記個人識別情報に対応するデータが特定できた場合には、上記配信情報記憶手段に記憶された上記情報データを上記携帯端末装置に送信するステップと、
を含み、
上記携帯端末装置側で行うステップとして、上記個人識別データの中から上記個人識別情報に対応するデータが特定できた場合に、上記携帯端末装置側でプロファイル情報を指示した開示レベルで開示するための送信処理を行うステップが付加されると共に、
上記基地装置側では、上記情報開示レベル指示を受信したとき上記基地装置側に設けられたプロファイル情報記憶手段から当該開示レベルに沿った上記プロファイル情報を、上記個人識別情報を送信した携帯端末装置以外であって、上記基地装置と通信できるエリアに存在する上記携帯端末装置の全てに送信するステップが付加されたことを特徴とする配信方法。
【請求項９】
上記送信処理を行うステップには、プロファイル情報に関連したアナウンス情報を付加するステップを有し、
上記アナウンス情報は、紹介アナウンスなしで上記プロファイル情報が配信される自動モードに対し、上記紹介アナウンスの後で上記プロファイル情報が配信される紹介モード時に使用するアナウンス情報である
ことを特徴とする請求項８記載の配信方法。
【請求項１０】
上記基地装置の処理ステップとして、参加者全員のプロファイル情報をリストアップして頻度の高い共通項目を抽出し、抽出した共通項目から関連資料を検索、収集したのち、そのアウトラインを上記携帯端末装置の全てに配信するステップを有する
ことを特徴とする請求項８記載の配信方法。
【請求項１１】
上記基地装置の処理ステップとして、アウトラインを上記携帯端末装置に配信した後で、上記複数の携帯端末装置のうち代表となる１つの携帯端末装置よりの返信に基づいて、上記関連資料を決定して、その関連資料の情報を上記携帯端末装置の全てに配信するステップを有する
ことを特徴とする請求項８記載の配信方法。
【請求項１２】
データ送信を含む無線による通信を行う複数の基地装置と、
配信される情報データが記憶された配信情報記憶手段と、予め個人識別データを記憶する個人識別データ記憶手段とを有し、上記情報データを上記基地装置に配信するように上記複数の基地装置と回線を介して接続された中央処理装置（Central Processing Station）と、使用者の個人識別情報を取得する個人識別情報取得手段と、この個人識別情報取得手段で取得した個人識別情報を上記基地装置に発信する手段とを有し、上記基地装置周辺の所定の領域において、上記中央処理装置から回線を介して得られる上記情報データの受信を含む無線による通信を当該基地装置と行う携帯端末とから構成され、
上記中央処理装置は、
上記個人識別データ記憶手段に記憶されている個人識別データと上記携帯端末装置から上記基地装置に発信され、上記回線を介して送られた上記個人識別情報とを比較し、
上記個人識別データの中から上記個人識別情報に対応するデータが特定できた場合には、上記携帯端末装置へ送信する上記情報データを上記基地装置に対して配信する中央制御手段を備え、
上記中央処理装置は、上記携帯端末装置の識別データを記憶する端未情報記憶手段をさらに有し、
上記携帯端未装置は上記個人識別情報に加えて固有の端末識別情報を上記基地装置に発信し、
この固有の端末識別情報は当該携帯端末装置が所属する上記基地装置の位置情報と共に、
上記中央処理装置に送られて上記端末情報記憶手段に記憶され、
上記中央制御手段は、記憶された上記位置情報に基づき、上記携帯端未装置へ送信する上記情報データを上記基地装置に対して配信することを特徴とする配信システム。
【請求項１３】
上記携帯端末装置は、上記固有の端未識別情報に加えてメッセージを発信し、
上記中央処理装置は、上記メッセージを記憶する記憶手段を有し、
上記中央制御手段は、上記記憶手段に記憶された上記メッセージが送信される他の携帯端末装置からの上記位置情報に基づき特定された上記基地装置にメッセージを配信することを特徴とする請求項１２記載の配信システム。
【請求項１４】
データ送信を含む無線による通信を行う複数の基地装置と、
配信される情報データが記憶された配信情報記憶手段と、予め個人識別データを記憶する個人識別データ記憶手段とを有し、上記情報データを上記基地装置に配信するように上記複数の基地装置と回線を介して接続された中央処理装置（Central Processing Station）と、使用者の個人識別情報を取得する個人識別情報取得手段と、この個人識別情報取得手段で取得した個人識別情報を上記基地装置に発信する手段とを有し、上記基地装置周辺の所定の領域において、上記中央処理装置から回線を介して得られる上記情報データの受信を含む無線による通信を当該基地装置と行う携帯端末とから構成され、
上記中央処理装置は、
上記個人識別データ記憶手段に記憶されている個人識別データと上記携帯端末装置から上記基地装置に発信され、上記回線を介して送られた上記個人識別情報とを比較し、
上記個人識別データの中から上記個人識別情報に対応するデータが特定できた場合には、上記携帯端末装置へ送信する上記情報データを上記基地装置に対して配信する中央制御手段を備え、
上記携帯端未装置は、文字および／又は画像の被加工データを取り込む入力手段を有し、上記個人識別情報と共に上記被加工データを上記基地装置に送信し、
上記中央処理装置は、上記回線を介して上記基地装置より得られた上記被加工データを記憶する記憶手段を有し、
上記中央制御手段は、当該記憶手段に記憶された上記被加工データを加工データに加工処理すると共に、上記携帯端末装置へ送信する上記加工データを、上記回線を介して当該基地装置に配信することを特徴とする配信システム。
【請求項１５】
データ送信を含む無線による通信を行う複数の基地装置と、
配信される情報データが記憶された配信情報記憶手段と、予め個人識別データを記憶する個人識別データ記憶手段とを有し、上記情報データを上記基地装置に配信するように上記複数の基地装置と回線を介して接続された中央処理装置（Central Processing Station）と、使用者の個人識別情報を取得する個人識別情報取得手段と、この個人識別情報取得手段で取得した個人識別情報を上記基地装置に発信する手段とを有し、上記基地装置周辺の所定の領域において、上記中央処理装置から回線を介して得られる上記情報データの受信を含む無線による通信を当該基地装置と行う携帯端末とから構成され、
上記中央処理装置は、
上記個人識別データ記憶手段に記憶されている個人識別データと上記携帯端末装置から上記基地装置に発信され、上記回線を介して送られた上記個人識別情報とを比較し、
上記個人識別データの中から上記個人識別情報に対応するデータが特定できた場合には、上記携帯端末装置へ送信する上記情報データを上記基地装置に対して配信する中央制御手段を備え、
上記中央処理装置には、登録された個人の情報開示レベルに応じたプロファイル情報の記憶手段が設けられると共に、
上記配信情報記憶手段には、配信用情報データの他に、上記プロファイル情報に関連したアナウンス情報が記憶され、
上記携帯端末装置には、個人のプロファイル情報を指示した開示レベルで開示するための送信処理手段を有し、上記中央処理装置と上記基地装置周辺の所定の領域において、上記情報データ、アナウンス情報又はプロファイル情報の受信を含む無線による通信を当該基地装置との間で行うと共に、
上記中央処理装置は、上記個人識別データの中から上記個人識別情報に対応するデータが特定できた場合には、特定された個人以外が携帯する上記携帯端末装置の全てに対して配信する上記プロファイル情報を、上記中央制御手段を用いて上記基地装置に対して送信することを特徴とする記載の配信システム。
【請求項１６】
上記アナウンス情報は、紹介アナウンスなしで上記プロファイル情報が配信される自動モードに対し、上記紹介アナウンスの後で上記プロファイル情報が配信される紹介モード時に使用されるアナウンス情報である
ことを特徴とする請求項１５記載の配信システム。
【請求項１７】
上記送信処理手段では、携帯端末装置に設けられた液晶部が使用され、この液晶部に設定メニューが表示され、この設定メニューに基づいて上記情報開示レベルが指定されると共に、
上記アナウンス情報と共に上記情報開示レベルを示す情報が送信される
ことを特徴とする請求項１５記載の配信システム。
【請求項１８】
上記中央処理装置では、参加者全員のプロファイル情報をリストアップして頻度の高い共通項目を抽出し、抽出した共通項目から関連資料を検索、収集したのち、そのアウトラインを上記携帯端末装置の全てに配信するために、上記基地装置に対して上記アウトライン情報を送信する情報処理手段を有する
ことを特徴とする請求項１５記載の配信システム。
【請求項１９】
上記中央処理装置では、上記アウトラインを上記携帯端末装置に配信した後で、上記複数の携帯端末装置のうち代表となる１つの携帯端末装置よりの返信に基づいて、上記関連資料を決定して、その関連資料の情報を上記基地装置を介して上記携帯端末装置の全てに配信するようにした
ことを特徴とする請求項１５記載の配信システム。
【請求項２０】
配信される情報データが記憶された配信情報記憶手段を有する中央処理装置と回線を介して接続された複数の基地装置から、上記情報データを無線により携帯端未装置に送信する配信方法において、
携帯端未装置に設けられた個人識別情報取得手段により使用者の個人識別情報を取得し、
取得されたこの個人識別情報を基地装置に無線により発信するステップと、
上記携帯端末装置から発信された上記個人識別情報を上記基地装置が受信し、当該個人識別情報を上記中央処理装置に回線を介して送信するステップと、
上記中央処理装置において上記基地装置から送信された当該個人識別情報と上記中央処理装置に設けられた個人識別データ記憶手段に予め記憶された個人識別データとを比較するステップと、
上記個人識別データの中から上記個人識別情報に対応するデータが特定できた場合には、上記配信情報記憶手段に記憶された上記情報データを上記基地装置に回線を介して配信するステップと、
回線を介して配信された基地装置から上記情報データを携帯端末装置に送信するステップと、を含み、
上記個人識別データの中から上記個人識別情報に対応するデータが特定できた場合に、上記携帯端末装置側でプロファイル情報を指示した開示レベルで開示するための送信処理を行うステップと、
この情報開示レベル指示を受信したとき上記中央処理装置側に設けられたプロファイル情報記憶手段から当該開示レベルに沿った上記プロファイル情報または上記配信情報記憶手段に記憶された上記情報データを上記基地装置に回線を介して配信するステップと、
回線を介して配信された基地装置から上記情報データを携帯端末装置に送信するか、若しくは上記個人識別情報を送信した携帯端末装置以外であって、上記基地装置と通信できるエリアに存在する携帯端末装置の全てに上記プロファイル情報を送信するステップと、
を含むことを特徴とする配信方法。
【請求項２１】
上記送信処理には、上記プロファイル情報に関連したアナウンス情報を付加するステップを有し、
上記アナウンス情報は、紹介アナウンスなしで上記プロファイル情報が配信される自動モードに対し、上記紹介アナウンスの後で上記プロファイル情報が配信される紹介モード時に使用されるアナウンス情報である
ことを特徴とする請求項２０記載の配信方法。
【請求項２２】
上記中央処理装置の処理ステップとして、参加者全員のプロファイル情報をリストアップして頻度の高い共通項目を抽出し、抽出した共通項目から関連資料を検索、収集したのち、そのアウトラインを上記基地装置を介して携帯端末装置の全てに配信するステップを有する
ことを特徴とする請求項２０記載の配信方法。
【請求項２３】
上記中央処理装置の処理ステップとして、アウトラインを上記基地装置を介して上記携帯端末装置に配信した後で、上記複数の携帯端末装置のうち代表となる１つの携帯端末装置よりの返信に基づいて、上記関連資料を決定して、その関連資料の情報を上記基地装置を介して上記携帯端末装置の全てに配信するステップを有する
ことを特徴とする請求項２０記載の配信方法。
【請求項２４】
大型映像表示手段と、上記大型映像表示手段に表示される各素材に対応して配信される情報データが記憶された配信情報記憶手段とを有し、上記情報データの送信を含む無線による通信を行う基地装置と、
上記基地装置周辺の所定の領域において、当該基地装置から送信された上記情報データの受信を含む無線による通信を当該基地装置と行う携帯端未装置とから構成され、
基地装置は、上記素材の１つが上記大型映像表示装置に表示されている間には、その素材に対応して上記配信情報記憶手段に記憶された上記情報データを上記携帯端未装置に送信し、
上記基地装置には、登録された個人の情報開示レベルに応じたプロファイル情報の記憶手段を有すると共に、上記配信情報記憶手段には、上記配信用情報データの他に、上記プロファイル情報に関連したアナウンス情報が記憶されており、
上記携帯端末装置には、個人のプロファイル情報を指示した開示レベルで開示するための送信処理手段を有し、
上記携帯端末装置からの個人識別データが特定できたとき、上記携帯端末装置からの情報開示レベルに応じたプロファイル情報を上記個人識別情報を送信した携帯端末装置以外の携帯端末装置であって、上記基地装置で認識したエリア内に存在する携帯端末装置に送信すると共に、必要に応じて上記大型映像表示手段にも送信するようにした
ことを特徴とする配信システム。
【請求項２５】
上記アナウンス情報は、紹介アナウンスなしで上記プロファイル情報が配信される自動モードに対し、上記紹介アナウンスの後で上記プロファイル情報が配信される紹介モード時に使用されるアナウンス情報である
ことを特徴とする請求項２４記載の配信システム。
【請求項２６】
上記送信処理手段では、携帯端末装置に設けられた液晶部が使用され、この液晶部に設定メニューが表示され、この設定メニューに基づいて上記情報開示レベルが指定されると共に、
上記アナウンス情報と共に上記情報開示レベルを示す情報が送信される
ことを特徴とする請求項２４記載の配信システム。
【請求項２７】
上記基地装置では、参加者全員のプロファイル情報をリストアップして頻度の高い共通項目を抽出し、抽出した共通項目から関連資料を検索、収集したのち、そのアウトラインを上記携帯端末装置の全て、若しくは必要に応じて上記大型表示装置に配信する情報処理手段を有する
ことを特徴とする請求項２４記載の配信システム。
【請求項２８】
上記参加者全員のプロファイル情報をリストアップして頻度の高い共通項目を抽出し、抽出した共通項目から関連資料を検索、収集したアウトラインを上記携帯端末装置に配信した後で、上記複数の携帯端末装置のうち代表となる１つの携帯端末装置よりの返信に基づいて、上記関連資料を決定して、その関連資料の情報を上記携帯端末装置の全て、若しくは必要に応じて上記大型表示装置に配信するようにした
ことを特徴とする請求項２４記載の配信システム。
【請求項２９】
大型映像表示装置と、上記大型映像表示手段に表示される各素材に対応して配信される情報データが記憶された配信情報記憶手段とを有する基地装置から、上記情報データを無線により携帯端未装置に送信する配信方法において、
上記大型映像表示装置に、上記各素材の１つを表示するステップと、
携帯端末装置に設けられた個人識別情報取得手段により使用者の個人識別情報を取得し、取得されたこの個人識別情報を基地装置に無線により発信するステップと、
上記携帯端末装置から発信された上記個人識別情報を上記基地装置が受信し、当該個人識別情報と上記基地装置に設けられた個人識別データ記憶手段に予め記憶された個人識別データとを比較するステップと、
上記個人識別データの中から上記個人識別情報に対応するデータが特定できた場合には、上記配信情報記憶手段に記憶された上記大型映像表示手段に表示されている上記素材に対応する上記情報データを上記携帯端末装置に送信するステップと、
を含み、
上記携帯端末装置側で行うステップとして、上記個人識別データの中から上記個人識別情報に対応するデータが特定できた場合に、上記携帯端末装置側でプロファイル情報を指示した開示レベルで開示するための送信処理を行うステップが付加されると共に、
上記基地装置側では、上記情報開示レベル指示を受信したとき上記基地装置側に設けられたプロファイル情報記憶手段から当該開示レベルに沿った上記プロファイル情報を、上記個人識別情報を送信した携帯端末装置以外であって、上記基地装置と通信できるエリアに存在する上記携帯端末装置の全て、若しくは必要に応じて上記大型表示装置に送信するステップが付加されたことを特徴とする配信方法。
【請求項３０】
上記送信処理には、上記プロファイル情報に関連したアナウンス情報を付加するステップを有し、
上記アナウンス情報は、紹介アナウンスなしで上記プロファイル情報が配信される自動モードに対し、上記紹介アナウンスの後で上記プロファイル情報が配信される紹介モード時に使用されるアナウンス情報である
ことを特徴とする請求項２９記載の配信方法。
【請求項３１】
上記基地装置の処理ステップとして、参加者全員のプロファイル情報をリストアップして頻度の高い共通項目を抽出し、抽出した共通項目から関連資料を検索、収集したのち、そのアウトラインを上記携帯端末装置の全て、若しくは必要に応じて上記大型表示装置に配信するステップを有する
ことを特徴とする請求項２９記載の配信方法。
【請求項３２】
上記基地装置の処理ステップとして、アウトラインを上記携帯端末装置に配信した後で、上記複数の携帯端末装置のうち代表となる１つの携帯端末装置よりの返信に基づいて、上記関連資料を決定して、その関連資料の情報を上記携帯端末装置の全て、若しくは上記大型表示装置に配信するステップを有する
ことを特徴とする請求項２９記載の配信方法。
【請求項３３】
大型映像表示手段を有すると共に、無線による通信を行う複数の基地装置と、
上記大型映像表示手段に表示される各素材に対応して配信される情報データが記憶された配信情報記憶手段を有し、上記情報データを上記基地装置に配信するように上記複数の基地装置と回線を介して接続された中央処理装置と、
上記基地装置周辺の所定の領域において、上記中央処理装置から回線を介して得られる上記情報データの受信を含む無線による通信を当該基地装置と行う携帯端末装置とから構成され、
基地装置は、上記素材のｌつが上記大型映像表示装置に表示されている間には、その素材に対応して上記配信情報記憶手段に記憶された上記情報データを送信し、
上記携帯端末装置は、
使用者の個人識別情報を取得する個人識別情報取得手段と、
この個人識別情報取得手段で取得した個人識別情報を上記基地装置に発信する手段とを備え、
上記中央処理装置は、
予め個人識別データを記憶する個人識別データ記憶手段をさらに有し、
この個人識別データ記憶手段に記憶されている個人識別データと上記携帯端末装置から上記基地装置に発信され、回線を介して配信された上記個人識別情報とを比較し、
上記個人識別データの中から上記個人識別情報に対応するデータが特定できた場合には、上記携帯端未装置へ送信する上記情報データを上記基地装置に対して配信する中央制御手段を有し、
上記中央処理装置は、上記携帯端末装置の識別データを記憶する端末情報記憶手段をさらに有し、
上記携帯端未装置は上記個人識別情報に加えて固有の端末識別情報を上記基地装置に発信し、
この固有の端末識別情報は当該携帯端末装置が所属する上記基地装置の位置情報と共に、
上記中央処理装置に送られて上記端未情報記憶手段に記憶され、
上記中央制御手段は、記憶された上記位置情報に基づき、上記携帯端末装置へ送信する上記情報データを上記基地装置に対して配信することを特徴とする配信システム。
【請求項３４】
上記携帯端末装置は、上記固有の端未識別情報に加えてメッセージを発信し、
上記中央処理装置は、上記メッセージを記憶する記憶手段を有し、
上記中央制御手段は、上記記憶手段に記億された上記メッセージが送信される他の携帯端末装置からの上記位置情報に基づき特定された上記基地装置にメッセージを配信することを特徴とする請求項３３記載の配信システム。
【請求項３５】
大型映像表示手段を有すると共に、無線による通信を行う複数の基地装置と、
上記大型映像表示手段に表示される各素材に対応して配信される情報データが記憶された配信情報記憶手段を有し、上記情報データを上記基地装置に配信するように上記複数の基地装置と回線を介して接続された中央処理装置と、
上記基地装置周辺の所定の領域において、上記中央処理装置から回線を介して得られる上記情報データの受信を含む無線による通信を当該基地装置と行う携帯端末装置とから構成され、
基地装置は、上記素材のｌつが上記大型映像表示装置に表示されている間には、その素材に対応して上記配信情報記憶手段に記憶された上記情報データを送信し、
上記携帯端末装置は、
使用者の個人識別情報を取得する個人識別情報取得手段と、
この個人識別情報取得手段で取得した個人識別情報を上記基地装置に発信する手段とを備え、
上記中央処理装置は、
予め個人識別データを記憶する個人識別データ記憶手段をさらに有し、
この個人識別データ記憶手段に記憶されている個人識別データと上記携帯端末装置から上記基地装置に発信され、回線を介して配信された上記個人識別情報とを比較し、
上記個人識別データの中から上記個人識別情報に対応するデータが特定できた場合には、上記携帯端未装置へ送信する上記情報データを上記基地装置に対して配信する中央制御手段を有し、
上記携帯端未装置は、文字および／又は画像の被加工データを取り込む入力手段を有し、上記個人識別情報と共に上記被加工データを上記基地装置に送信し、
上記中央処理装置は、上記回線を介して上記基地装置より得られた上記被加工データを記憶する記憶手段を有し、
上記中央制御手段は、当該記憶手段に記憶された上記被加工データを加工データに加工処理すると共に、上記携帯端末装置へ送信する上記加工データを、上記回線を介して当該基地装置に配信することを特徴とする配信システム。
【請求項３６】
大型映像表示手段を有すると共に、無線による通信を行う複数の基地装置と、
上記大型映像表示手段に表示される各素材に対応して配信される情報データが記憶された配信情報記憶手段を有し、上記情報データを上記基地装置に配信するように上記複数の基地装置と回線を介して接続された中央処理装置と、
上記基地装置周辺の所定の領域において、上記中央処理装置から回線を介して得られる上記情報データの受信を含む無線による通信を当該基地装置と行う携帯端末装置とから構成され、
基地装置は、上記素材のｌつが上記大型映像表示装置に表示されている間には、その素材に対応して上記配信情報記憶手段に記憶された上記情報データを送信し、
上記中央処理装置には、登録された個人の情報開示レベルに応じたプロファイル情報の記憶手段を有すると共に、上記配信情報記憶手段には、上記配信用情報データの他に、上記プロファイル情報に関連したアナウンス情報が記憶されており、
上記携帯端末装置には、個人のプロファイル情報を指示した開示レベルで開示するための送信処理手段を有し、
上記携帯端末装置からの個人識別情報が特定できたとき、上記携帯端末装置からの情報開示レベルに応じたプロファイル情報を上記個人識別情報を送信した携帯端末装置以外の携帯端末装置であって、上記基地装置で認識したエリア内に存在する携帯端末装置に配信するか、あるいは必要に応じて上記大型映像表示手段にも配信するために、上記中央処理装置より上記基地装置に対して上記プロファイル情報が送信されるようにした
ことを特徴とする配信システム。
【請求項３７】
上記アナウンス情報は、紹介アナウンスなしで上記プロファイル情報が配信される自動モードに対し、上記紹介アナウンスの後で上記プロファイル情報が配信される紹介モード時に使用されるアナウンス情報である
ことを特徴とする請求項３６記載の配信システム。
【請求項３８】
上記送信処理手段には、携帯端末装置に設けられた液晶部に、設定メニューが表示され、この設定メニューに基づいて上記情報開示レベルを指定するようにし、
上記アナウンス情報と共に上記情報開示レベルを示す情報が送信される
ことを特徴とする請求項３６記載の配信システム。
【請求項３９】
上記中央処理装置では、参加者全員のプロファイル情報をリストアップして頻度の高い共通項目を抽出し、抽出した共通項目から関連資料を検索、収集したのち、そのアウトラインを上記携帯端末装置の全て、若しくは必要に応じて上記大型表示装置に配信するために、上記基地装置に対して上記アウトライン情報を送信する情報処理手段を有する
ことを特徴とする請求項３６記載の配信システム。
【請求項４０】
上記中央処理装置では、上記アウトラインを上記携帯端末装置に配信した後で、上記複数の携帯端末装置のうち代表となる１つの携帯端末装置よりの返信に基づいて、上記関連資料を決定して、その関連資料の情報を上記基地装置を介して上記携帯端末装置の全て、若しくは必要に応じて上記大型表示装置に配信するようにした
ことを特徴とする請求項３６記載の配信システム。
【請求項４１】
大型映像表示手段を有する複数の基地装置と、上記大型映像表示手段に表示される各素材に対応して配信される情報データが記憶された配信情報記憶手段を有する中央処理装置とから構成され、上記中央処理装置と回線を介して接続された上記複数の基地装置から、上記情報データを無線により携帯端末装置に送信する配信方法において、
上記大型映像表示装置に、上記各素材の１つを表示するステップと、
携帯端末装置に設けられた個人識別情報取得手段により使用者の個人識別情報を取得し、取得されたこの個人識別情報を基地装置に無線により発信するステップと、
上記携帯端末装置から発信された上記個人識別情報を上記基地装置が受信し、当該個人識別情報を上記中央処理装置に回線を介して送信するステップと、
上記中央処理装置において上記基地装置から送信された当該個人識別情報と上記中央処理装置に設けられた個人識別データ記憶手段に予め記憶された個人識別データとを比較するステップと、
上記個人識別データの中から上記個人識別情報に対応するデータが特定できた場合には、上記配信情報記憶手段に記憶された上記情報データを上記基地装置に回線を介して配信するステップと、
回線を介して配信された上記基地装置から、上記大型映像表示手段に表示されている上記素材に対応する上記情報データを携帯端未装置に送信するステップとを含み、
上記携帯端末装置側で行うステップとして、上記個人識別データの中から上記個人識別情報に対応するデータが特定できた場合に、上記プロファイル情報を指示した開示レベルで開示するための送信処理を行うステップが付加されると共に、
上記中央処理装置側で行うステップとして、上記情報開示レベル指示を受信したとき上記中央処理装置側に設けられたプロファイル情報記憶手段から当該開示レベルに沿った上記プロファイル情報を、上記個人識別データを送信した携帯端末装置以外であって、上記基地装置と通信できるエリアに存在する上記携帯端末装置の全て、若しくは必要に応じて上記大型表示装置に配信するために、上記基地装置に対して上記プロファイル情報を送信するステップが付加された
ことを特徴とする配信方法。
【請求項４２】
上記送信処理には、上記プロファイル情報に関連したアナウンス情報を付加するステップを有し、
上記アナウンス情報は、紹介アナウンスなしで上記プロファイル情報が配信される自動モードに対し、上記紹介アナウンスの後で上記プロファイル情報が配信される紹介モード時に使用されるアナウンス情報である
ことを特徴とする請求項４１記載の配信方法。
【請求項４３】
上記基地装置の処理ステップとして、参加者全員のプロファイル情報をリストアップして頻度の高い共通項目を抽出し、抽出した共通項目から関連資料を検索、収集したのち、そのアウトラインを上記携帯端末装置の全て、若しくは必要に応じて上記大型表示装置に配信するステップを有する
ことを特徴とする請求項４１記載の配信方法。
【請求項４４】
上記基地装置の処理ステップとして、アウトラインを上記携帯端末装置に配信した後で、上記複数の携帯端末装置のうち代表となる１つの携帯端末装置よりの返信に基づいて、上記関連資料を決定して、その関連資料の情報を上記携帯端末装置の全て、若しくは上記大型表示装置に配信するステップを有する
ことを特徴とする請求項４１記載の配信方法。
【発明の詳細な説明】
【０００１】
技術分野
本発明は、ネットワークを介して接続されたサーバ等に記憶された個人識別情報に基づいて特定した携帯端末装置の使用者に対して各種配信サービスを提供する配信システムおよび配信方法に関する。さらに大型映像表示手段に対応して設けられた基地装置と無線により通信可能な所定の領域にある携帯端末装置に対し、大型映像表示手段を用いた各種配信サービスを提供する配信システムおよび配信方法に関する。
【０００２】
背景技術
近年、携帯端末装置を用いて、各種情報を取り出したり、ダウンロードできるようなサービスが普及している。このようなサービスにおいては、サービスを受ける上で必要な使用者である個人の識別やデータのセキュリティの確保について、関心が高まっている。
【０００３】
個人の識別については、従来、携帯端末装置を予め登録された特定の人に限って使えるようにするため、携帯端末装置に個人識別機能を持たせることが提案されている。例えば、「特開平１１−２６２０５９号公報」に示すような移動通信用携帯端末装置および個人識別方法がある。
【０００４】
第２６図はこの公報に記載された移動通信用携帯端末装置のブロック図である。携帯端末装置内部のＲＯＭ６０には予め使用者の指紋データを個人ＩＤ（識別）データとして記憶させておく。
【０００５】
携帯端末装置の電源が投入されると、ＲＯＭ（固定記憶用メモリ）６０に記憶されている個人ＩＤデータを高速アクセスが可能なＲＡＭ（一時記憶用メモリ）５９上に展開する。携帯端末液晶部５６にある指紋識別センサ５７を搭載した発信ボタン５６を押下後、電話番号を入力し、再度、液晶部の発信ボタン５６を押下することにより発信処理を行う。
【０００６】
この発信手順において、最初に発信ボタン５６を押下した際に指紋識別センサ５７で使用者の指紋を読みとり、その形状をドットパターンに変換し、データ化する。取得した指紋データは、携帯端末装置を購入した時に指紋データとして記憶させた個人ＩＤデータと指紋識別回路５８で照合され、不一致だった場合には発信不可とする。一致した場合のみ電話番号の入力を許可し、通信処理部６１および無線処理部６２を経て発信処理を行う。
【０００７】
しかしながら、この方式では、個人識別処理を携帯端末装置側で行うため、携帯端末装置の情報処理の負担が重くなり、それに伴って消費電力も大きくなり、携帯端末装置を小型化し省電力化することが難しかった。更に、１台の携帯端末装置を使用できるのは特定な一人だけであり、他の人は使用できず、個人と携帯端末装置の関係が一対一で固定化され、融通がきかないという問題があった。
【０００８】
また、従来、野外若しくは駅構内、通路などに、陰極線管や放電管、発光ダイオード等を用いた映像表示装置を設置し、これに例えば動画若しくは静止画などの広告映像を供給することによって、屋外広告などを行うようにした表示システムが知られている。
【０００９】
このような場所に屋外広告システムを構築して広告映像などを流す場合には、その場所を通過する不特定多数の通行人に対して、動画若しくは静止画の情報を常時表示し、その広告を通行人に提供し続けることができる。
【００１０】
また、このような場所に屋外広告システムを構築して広告映像を流す場合には、それぞれの映像表示装置に対し、その映像プログラムを記憶し再生する装置を個々に配置し、そこから所定の情報を表示することが通常行われている。
【００１１】
しかしながら、このような大型映像表示装置で広告内容を不特定多数の通行人に広告を行うとき、その広告素材を見て関心を喚起された者がいても、その大型映像表示装置に表示されている素材に関連するさらなる詳細情報を得たいと思っても、その場で、詳細素材情報を取得することが困難であった。
【００１２】
また、それぞれの映像表示装置に対し、その映像プログラムを記憶し再生する装置を個々に配置されているので、複数の大型映像表示装置について広告素材の表示を適切にコントロールすることが困難であった。
【００１３】
一方、大型映像表示装置と携帯端末装置を組み合わせた大型映像表示システムがある。例えば、「特開平１１−２６２０３５号公報」に開示されたような、大型映像表示装置の調整時、大型映像表示装置を離れた場所から観測し、その観測結果に基づいて調整を大型映像表示装置の設置場所で行う際の連絡方法を記載したものがある。
【００１４】
第２７図は上述した公報に記載された大型映像表示システムの構成図である。大型映像機器４１の映像表示部４２はユニット４３を縦横に多数配列して構成されている。送信側はこのユニット４３に表示される映像の輝度、色相等を作業者４５が観察し、それに基づいて調整データを入力する調整信号入力装置４６と、このデータを電話回線に接続するためのモデム４７と、このデータを送信する携帯電話４９とで構成されている。
【００１５】
受信側は、電話局５０から発信される電波を受信する受信用の携帯電話５１と、制御用信号に変換するモデム５２と、制御装置５３とで構成されている。
【００１６】
大型映像機器４１の映像表示部４２から所定距離の位置で、作業者４５がユニット４３に表示された映像（部分映像）の輝度、色相等を観察する。その観察結果に基づき、作業者４５は調整信号入力装置４６にユニット４３の番号、調整すべき輝度、色相等のデータを入力する。入力されたデータはモデム４７を介して携帯電話４９から電話局５０を中継して携帯電話５１に伝達される。
【００１７】
携帯電話５１で受信されたデータはモデム５２で各種制御データに変換され、制御装置５３に入力される。ユニット４３はこのデータに基づき制御装置５３によって制御され、作業者４５が意図した映像表示状態に設定される。
【００１８】
ところが、第２７図に示すような大型映像表示システムでは、携帯端末装置として携帯電話を用いているが、携帯電話は単にユニット４３を調整するための調整信号を送受信するだけであり、大型映像機器４１の映像表示部４２の表示画面から各種情報を取り出したり、ダウンロードできるようになっていなかった。
【００１９】
そこで、本発明の目的は、携帯端末の使用者である個人の識別ができ、１台の端末装置を複数の人が使用可能で、しかも端末装置の小型化と省電力化が図れることができ、しかも携帯端末装置を所有する者同士の連帯感を強められるような配信システムを提供することである。また、本発明の目的は、大型映像装置に表示されている素材に関連する情報に対して個人が簡単にアクセスでき、情報入手（配信）の利便性を高めると共に、携帯端末装置を所有する者同士の連帯感を強められるような個人の識別が可能な配信システムおよび配信方法を提供することにある。
【００２０】
発明の開示
本発明に係る配信システムは、配信される情報データが記憶された配信情報記憶手段と予め個人識別データを記憶する個人識別データ記憶手段とを有し、上記情報データの送信を含む無線による通信を行う基地装置と、使用者の個人識別情報を取得する個人識別情報取得手段とこの個人識別情報取得手段で取得した個人識別情報を発信する手段とを有し、基地装置周辺の所定の領域においてこの基地装置から送信された上記情報データの受信を含む無線による通信を基地装置と行う携帯端末装置とから構成され、基地装置は、個人識別データ記憶手段に記憶されている個人識別データと携帯端末装置から発信された個人識別情報とを比較し、個人識別データの中からその個人識別情報に対応するデータが特定できた場合には配信情報記憶手段に記憶された情報データを携帯端末装置に送信することを特徴とする。
【００２１】
本発明に係る配信システムは、基地装置に設けられた比較選択手段が、記憶手段に記憶されている個人識別データと携帯端末装置から送られた個人識別情報取得手段により取得された個人識別情報とを比較して個人を特定するので、携帯端末装置の使用者である個人の識別ができ、１台の携帯端末装置を複数の人が使用可能である。しかも記憶手段や比較選択手段が基地装置側に設けられているので、携帯端末装置の処理機能が少なくてすみ、携帯端末装置の小型化と省電力化が図れる。
【００２２】
また、本発明に係る配信システムは、データ配信を含む無線による通信を行う複数の基地装置と配信される情報データが記憶された配信情報記憶手段と予め個人識別データを記憶する個人識別データ記憶手段とを有し、その情報データを基地装置に配信するように複数の基地装置と回線を介して接続された中央処理装置と、使用者の個人識別情報を取得する個人識別情報取得手段とこの個人識別情報取得手段で取得した個人識別情報を基地装置に発信する手段とを有し、基地装置周辺の所定の領域において中央処理装置から回線を介して得られる情報データの受信を含む無線による通信を当該基地装置と行う携帯端末とから構成され、中央処理装置は、個人識別データ記憶手段に記憶されている個人識別データと携帯端末装置から基地装置に発信され回線を介して送られた個人識別情報とを比較し、個人識別データの中から個人識別情報に対応するデータが特定できた場合には携帯端末装置へ送信される情報データを基地装置に対して配信する制御手段を備えることを特徴とする。
【００２３】
本発明に係る配信システムでは、中央制御装置が、記憶手段に記憶されている個人識別データと携帯端末装置から送られた個人識別情報取得手段により取得された個人識別情報とを比較して個人を特定するので、携帯端末装置の使用者である個人の識別ができ、１台の携帯端末装置を複数の人が使用可能である。しかも記憶手段や比較選択手段が中央処理装置側に設けられているので、携帯端末装置の処理機能が少なくてすみ、携帯端末装置の小型化と省電力化が図れる。
【００２４】
更に好適には、本発明に係る配信システムは、携帯端末装置が文字および／画像の被加工データを取り込む入力手段を有し、個人識別情報と共に被加工データを基地装置に送信する。そして中央処理装置が、回線を介して基地装置より得られた被加工データを記憶する記憶手段を有し、その制御手段が当該記憶手段に記憶された被加工データを加工データに加工処理すると共に、携帯端末装置へ送信する加工データを、回線を介して当該基地装置に配信するように構成される。
【００２５】
本発明に係る配信システムでは、携帯端末装置が文字や画像のデータの入出力処理をし、中央処理装置が文字や画像のデータを加工処理するので、携帯端末装置の処理機能が少なくてすみ、携帯端末装置を小型化し省電力化することができる。
【００２６】
また、本発明に係る配信システムは、大型映像表示手段とこの大型映像表示手段に表示される各素材に対応して配信される情報データが記憶された配信情報記憶手段とを有し、情報データの送信を含む無線による通信を行う基地装置と、基地装置周辺の所定の領域においてこの基地装置から送信された情報データの受信を含む無線による通信を基地装置と行う携帯端末装置とから構成され、その基地装置は、素材の１つが大型映像表示装置に表示されている間には、その素材に対応して配信情報記憶手段に記憶された情報データを携帯端末装置に送信することを特徴とする。
【００２７】
さらに、本発明に係る配信システムは、上述の構成に加え、携帯端末装置が、使用者の個人識別情報を取得する個人識別情報取得手段と、この個人識別情報取得手段で取得した個人識別情報を発信する手段を備え、基地装置は、予め個人識別データを記憶する個人識別データ記憶手段をさらに有し、この個人識別データ記憶手段に記憶されている個人識別データと携帯端末装置から発信された個人識別情報とを比較し、個人識別データの中から個人識別情報に対応するデータが特定できた場合には、大型映像表示手段に表示されている素材に対応して記憶された情報データを携帯端末装置に送信することを特徴とする。
【００２８】
また、本発明に係る配信システムは、大型映像表示手段を有すると共に、無線による通信を行う複数の基地装置と、大型映像表示手段に表示される各素材に対応して配信される情報データが記憶された配信情報記憶手段を有し、情報データを基地装置に配信するように複数の基地装置と回線を介して接続された中央処理装置と、基地装置周辺の所定の領域において、中央処理装置から回線を介して得られる情報データの受信を含む無線による通信を当該基地装置と行う携帯端末装置とから構成され、基地装置は、素材の１つが大型映像表示装置に表示されている間には、その素材に対応して配信情報記憶手段に記憶された情報データを送信することを特徴とする。
【００２９】
さらに、本発明に係る配信システムは、上述の構成に加え、携帯端末装置は、使用者の個人識別情報を取得する個人識別情報取得手段と、この個人識別情報取得手段で取得した個人識別情報を基地装置に発信する手段とを備え、中央処理装置は、予め個人識別データを記憶する個人識別データ記憶手段をさらに有し、この個人識別データ記憶手段に記憶されている個人識別データと携帯端末装置から基地装置に発信され、回線を介して配信された個人識別情報とを比較し、個人識別データの中から個人識別情報に対応するデータが特定できた場合には、携帯端末装置へ送信する情報データを基地装置に対して配信する制御を行うことを特徴とする。
【００３０】
また本発明の配信方法は、配信される情報データが記憶された配信情報記憶手段を有する基地装置から、情報データを無線により携帯端末装置に送信する配信方法において、携帯端末装置に設けられた個人識別情報取得手段により使用者の個人識別情報を取得し、取得されたこの個人識別情報を基地装置に無線により発信するステップと、携帯端末装置から発信された個人識別情報を基地装置が受信し、当該個人識別情報と基地装置に設けられた個人識別データ記憶手段に予め記憶された個人識別データとを比較するステップと、個人識別データの中から個人識別情報に対応するデータが特定できた場合には、配信情報記憶手段に記憶された情報データを携帯端末装置に送信するステップとを含むことを特徴とする。
【００３１】
また、本発明に係る配信方法は、配信される情報データが記憶された配信情報記憶手段を有する中央処理装置と回線を介して接続された複数の基地装置から、情報データを無線により携帯端末装置に送信する配信方法において、携帯端末装置に設けられた個人識別情報取得手段により使用者の個人識別情報を取得し、取得されたこの個人識別情報を基地装置に無線により発信するステップと、携帯端末装置から発信された個人識別情報を基地装置が受信し、当該個人識別情報を中央処理装置に回線を介して送信するステップと、中央処理装置において基地装置から送信された当該個人識別情報と中央処理装置に設けられた個人識別データ記憶手段に予め記憶された個人識別データとを比較するステップと、個人識別データの中から個人識別情報に対応するデータが特定できた場合には、配信情報記憶手段に記憶された情報データを基地装置に回線を介して配信するステップと、回線を介して配信された基地装置から情報データを携帯端末装置に送信するステップとを含むことを特徴とする。
【００３２】
また、本発明に係る配信方法は、大型映像表示装置と、大型映像表示手段に表示される各素材に対応して配信される情報データが記憶された配信情報記憶手段とを有する基地装置から、情報データを無線により携帯端末装置に送信する配信方法において、大型映像表示装置に、各素材の１つを表示するステップと、携帯端末装置に設けられた個人識別情報取得手段により使用者の個人識別情報を取得し、取得されたこの個人識別情報を基地装置に無線により発信するステップと、携帯端末装置から発信された個人識別情報を基地装置が受信し、当該個人識別情報と基地装置に設けられた個人識別データ記憶手段に予め記憶された個人識別データとを比較するステップと、個人識別データの中から個人識別情報に対応するデータが特定できた場合には、配信情報記憶手段に記憶された大型映像表示手段に表示されている素材に対応する情報データを携帯端末装置に送信するステップとを含むことを特徴とする。
【００３３】
また、本発明に係る配信方法は、大型映像表示手段を有する複数の基地装置と、大型映像表示手段に表示される各素材に対応して配信される情報データが記憶された配信情報記憶手段を有する中央処理装置とから構成され、中央処理装置と回線を介して接続された複数の基地装置から、情報データを無線により携帯端末装置に送信する配信方法において、大型映像表示装置に、各素材の１つを表示するステップと、携帯端末装置に設けられた個人識別情報取得手段により使用者の個人識別情報を取得し、取得されたこの個人識別情報を基地装置に無線により発信するステップと、携帯端末装置から発信された個人識別情報を基地装置が受信し、当該個人識別情報を中央処理装置に回線を介して送信するステップと、中央処理装置において基地装置から送信された当該個人識別情報と中央処理装置に設けられた個人識別データ記憶手段に予め記憶された個人識別データとを比較するステップと、個人識別データの中から個人識別情報に対応するデータが特定できた場合には、配信情報記憶手段に記憶された情報データを基地装置に回線を介して配信するステップと、回線を介して配信された基地装置から配信情報記憶手段に記憶された大型映像表示手段に表示されている素材に対応する情報データを携帯端末装置に送信するステップとを含むことを特徴とする。
【００３４】
発明を実施するための最良の形態
以下、図面に沿って本発明に係る大型映像装置を用いた配信システムの実施の形態の一例を説明する。第１図は本発明に係る大型映像装置を用いると共に、中央制御装置（センター）から情報を配信する配信システムの一例を示す概略構成図である。
【００３５】
大型映像装置を用いた配信システム１は、各会場に設置された大型映像表示装置５と、その大型映像表示装置５付近の様子を撮像するビデオカメラ６等を備えた無線による通信を行う基地装置２と、各基地装置２と回線を介して接続される中央制御装置にあるセンターサーバ３と、基地装置２と無線により通信する携帯端末装置であるＰＤＡ（パーソナル・デジタル・アシスタント）１３とから概略構成されている。大型映像表示装置５はマトリクス状に配列されたＬＥＤ素子からなるＬＥＤ表示装置、液晶パネル等の表示装置を縦横に隣接させて配置し大画面を形成するビデオウォール又はプロジェクタなどの高精細な大型映像表示手段を使用することができる。
【００３６】
大型映像表示装置５を備えた複数の基地装置２と、複数の基地装置２と回線を介して接続されたセンターサーバ３と、複数の基地装置２のそれぞれと無線により通信可能で、それぞれの基地装置２から情報を得ることができるＰＤＡ１３とを備えるこの実施の形態の配信システム１は、さらにＰＤＡ１３に使用者の個人識別情報を取得する個人識別情報取得手段を設け、基地装置２又はセンターサーバ３に、予め個人識別符号毎に個人識別データを記憶する記憶手段を備え、さらにこの記憶手段に記憶されている個人識別データと携帯端末装置から送られた個人識別情報とを比較し、個人識別符号を特定する比較選択手段を設け、比較選択手段で個人識別符号を特定できた場合には、ＰＤＡ１３は基地装置２から配信された情報を得ることができるように構成されている。
【００３７】
本実施の形態の配信システムにおいて、基地装置２と、大型映像表示装置５を用いた具体的な表示の事例を説明する。第１図に示すように、例えば環状線の各駅前の会場には基地装置２を始めとして、大型映像表示装置５およびビデオカメラ６等が設けられている。大型映像表示装置５で大型映像を表示すると共に、ビデオカメラ６により自装置の前に集まった人々を撮影することができる。各会場の基地装置２は回線を介してセンターサーバ３に接続され、ネットワーク化されている。
【００３８】
Ａ駅の会場の大型映像表示装置５には例えばＦ駅の会場のビデオカメラ６で撮影した映像、例えばダンス中のカップルの映像が表示されており、Ｆ駅の会場の大型映像表示装置５には例えばＡ駅の会場をビデオカメラ６で撮影した例えば子供達の映像が表示されている。このように、各会場の大型映像表示装置５には自分の会場とは異なる会場の映像を表示することができ、これによって各会場同士の状況を映像で楽しめるようになっている。
【００３９】
第２図は自装置映像の確認を示す図である。大型映像表示装置５には原則として自装置以外の会場に設置されたビデオカメラ６で撮影した映像や、センターサーバ３側から配信される映像、例えば後述する情報供給手段である記憶装置３１に格納された映像等を表示する。もちろん、自装置のビデオカメラ６で撮影した映像を自装置側に設置された大型映像表示装置５に表示することもできる。
【００４０】
ここで言うビデオカメラ６は、各会場の基地装置２にそれぞれ設けられているビデオカメラ自体に限定されるものではなく、この会場とは離れた例えばコンサート会場やイベント会場あるいは野球場等、基地装置２以外の場所に設置されたビデオカメラであってもよいことはもちろんである。
【００４１】
この例では、Picture in Picture（ＰｉｎＰ）方式により、大型映像表示装置５に表示されている大型映像画面の一部に自装置の映像を組み込んで表示し、自装置側の映像を確認できるようになっている。例えば、Ｆ駅の会場の大型映像表示装置５にはＡ駅の会場のビデオカメラ６で撮影した子供達の映像が大きく表示されており、この大型映像の中に自装置のビデオカメラ６で撮影した自装置映像（例えばダンスのカップルの映像）５ａを組み込んで表示することができる。この表示状態から、自装置映像５ａだけを大型映像の全画面に拡大することも可能であるし、大型映像とはめ込み映像を切り替えて表示することもできる。
【００４２】
以下、ある音楽バンドのイベントに関連する配信サービスを事例として、本発明による配信システムの構成、および動作の実施の形態を説明する。
【００４３】
この配信システムで使用される基地装置２には第３図に示すような機器が配置される。基地装置２のサービスエリア内には大型映像表示装置５が設置される。そしてこの配信システム１はセンターサーバ３と回線を介して接続される基地装置２として機能するローカル・プロセッサ７と、大型映像表示装置５と、携帯端末装置であるＰＤＡ（パーソナル・デジタル・アシスタント）１３と無線で通信を行うためのアンテナ１１から構成されている。これらの他に、第３図では例えば２台のビデオカメラ６Ａ，６Ｂと、４台のマイクロホン９Ａ，９Ｂ，９Ｃ，９Ｄと、３台のスピーカ１０Ａ，１０Ｂ，１０Ｃが設置されている。
【００４４】
大型映像表示装置５の上方にはアンテナ１１が設置され、大型映像表示装置５の近傍左右にはビデオカメラ６Ａ，６Ｂの他に集音用のマイクロホン９Ａ，９Ｂと、スピーカ１０Ａ，１０Ｂが配置されている。大型映像表示装置５の前方左右にはマイクロホン９Ｃ，９Ｄが配置され、前方中央にはリアスピーカとしてのスピーカ１０Ｃが配置されている。すなわち、大型映像表示装置５前の空間に、マイクロホン９Ａ，９Ｂ，９Ｃ，９Ｄとスピーカ１０Ａ，１０Ｂ，１０Ｃが取り付けられており、臨場感が増すように配置されている。
【００４５】
第４図はＰＤＡ（パーソナル・デジタル・アシスタント）１３を示す外観図である。ＰＤＡ１３は本体１４と、本体１４の一面に設けられ、ペンなどによる入力部を兼ねる液晶部１５と、使用者の瞳のパターンを検出することができる個人識別情報取得手段であるＣＣＤカメラ１６と、基地装置２と無線で通信を行うための伸縮可能なアンテナ１７から概略構成されている。ＣＣＤカメラ１６は本体１４に着脱可能に構成されており、図示せぬコードを介して本体１４から離して撮影することもできる。本体１４の側方にはＩＣ（integrated circuit：集積回路）カード１８とＩＣメモリ１９が装着可能となっている。ＩＣカード１８は使用者を識別するためのものである。ＩＣメモリ１９について詳しくは後述する。
【００４６】
第５図はＰＤＡのブロック図である。ＰＤＡ１３の液晶部１５には個人識別情報取得手段であるペン入力センサ２１と、指紋識別センサ２２が備えられている。使用者が液晶部１５にペンにより特定の文字（例えばサイン）を入力すると、ペン入力センサ２１で入力された文字を読み取り、処理回路２３がその形状をドットパターンに変換し、データ化する。また、使用者が液晶部１５の特定の部分を例えば親指で押下すると、指紋識別センサ２２で使用者の指紋を読み取り、処理回路２３がその形状をドットパターンに変換し、データ化する。押下位置がずれている場合には指紋の中心位置を求め、補正をかけるようにする。ＣＣＤカメラ１６は使用者の瞳のパターンを検出し、処理回路２３がその形状をドットパターンに変換し、データ化する。
【００４７】
このように、ペン入力センサ２１、指紋識別センサ２２およびＣＣＤカメラ１６からの個人の識別に関するデータは処理回路２３に入力され処理される。処理回路２３には一時記憶用メモリ（ＲＡＭ）２５が接続され、処理回路２３で処理されたデータをＲＡＭ２５に一時的に記憶したり、ＲＡＭ２５に一時記憶されたデータを処理回路２３に読み出すようになっている。処理回路２３で処理されたデータは、そのＰＤＡを使用する個人識別情報として、通信処理部２６および無線処理部２７を介してアンテナ１７から電波として発信される。
【００４８】
一方、基地装置２のアンテナ１１から発信された電波はＰＤＡ１３のアンテナ１７で受信され、無線処理部２７を介して通信処理部２６に入力されて処理され、処理情報は液晶部１５に表示されるか、又は処理回路２３を介して液晶部１５に表示される。ＩＣカード１８はＩＣカードリーダー６３を介して、ＩＣメモリ１９はＩＣメモリスロットインタフェイス６４を介して処理回路２３に接続されるようになっている。
【００４９】
処理回路２３では、これらの処理機能の他に、個人のプロファイル情報を指示した開示レベル（後述する）で開示するための指示機能や、その個人のアナウンス情報（紹介情報）を流してからプロファイル情報を配信するように指示するための指示機能などを有する。
【００５０】
第６図は基地装置２のブロック図である。ローカル・プロセッサ７には上述した４台のマイクロホン９Ａ，９Ｂ，９Ｃ，９Ｄからのオーディオ信号（音声情報）と、２台のビデオカメラ６Ａ，６Ｂからのビデオ信号（画像情報）と、センターサーバ３からのオーディオ信号、ビデオ信号などの配信情報や、コントロール信号等が入力され処理される。
【００５１】
センターサーバ３からのオーディオ信号、ビデオ信号、コントロール信号とは、例えば各種音声や映像やストリームデータや付加データやバナー広告（映像の一部に例えば横幕又は縦幕のように流す広告）のコントロール信号等である。
【００５２】
ローカル・プロセッサ７には更に、アンテナ１１が接続され、ＰＤＡ１３からの電波を受信して処理したり、ＰＤＡ１３に電波を発信して、ＰＤＡ１３と通信することができる。
【００５３】
ローカル・プロセッサ７からは３台のスピーカ１０Ａ，１０Ｂ，１０Ｃに対してオーディオ信号が出力され、大型映像表示装置５には映像用のビデオ信号が出力される。ローカル・プロセッサ７は予め決められた処理内容、あるいはセンターサーバ３からの指示内容に基づいて、大型映像表示装置５へ出力するデータを作成する。同時に、センターサーバ３へ、大型映像表示装置５のモニター信号、各ビデオカメラ６Ａ，６Ｂからのモニター信号、マイクロホン９Ａ，９Ｂ，９Ｃ，９Ｄからのオーディオ信号、ＰＤＡ１３からの入力信号および各装置の現在の状態を示す状態信号が出力される。
【００５４】
また、第１図に示すように、Ａ駅の会場のビデオカメラ６の映像がＦ駅の会場の大型映像表示装置５に大型映像として表示されると同時に、Ａ駅の会場のマイクロホン９Ａ，９Ｂ，９Ｃ，９Ｄの音声がＦ駅の会場のスピーカ１０Ａ，１０Ｂ，１０Ｃから音として出力され、同様にＦ駅の会場のビデオカメラ６の映像がＡ駅の会場内の大型映像表示装置５に大型映像として表示されると同時に、Ｆ駅の会場のマイクロホン９Ａ，９Ｂ，９Ｃ，９Ｄの音声がＡ駅の会場のスピーカ１０Ａ，１０Ｂ，１０Ｃから音として出力されるように構成されている。このように双方向で映像情報と音声情報をやり取りすることができるので、集まった人達の参加意識が格段に高まり、イベントの効果を増すことができる。
【００５５】
第７図は中央処理装置（Central Processing Station）１００のブロック図であり、センターサーバ３が設置された中央処理装置であるセンター１００での処理を示している。
【００５６】
各地域に設置された大型映像表示装置５はローカル・プロセッサ７と回線を介してセンターサーバ３を含む中央制御手段１２に接続されている。中央制御手段１２には各基地装置の大型映像表示装置５に送出している映像や各基地装置のビデオカメラ６Ａ，６Ｂ等からの映像を表示するための多数のモニター３０，３０，・・・が設けられている。
【００５７】
中央制御手段１２には更に、各種情報を記憶するための記憶装置３１が接続されている。記憶装置３１は複数の記憶手段で構成され、この例では各種画像情報や音声情報や各種データ等の文字情報を記憶した画像・音声・文字情報ファイル（配信情報の記憶手段）３１Ａと、携帯端末装置の識別（ＩＤ）データを記憶した端末情報記憶手段である端末ＩＤデータファイル３１Ｂと、個人の識別（ＩＤ）データを記憶した記憶手段である個人ＩＤデータファイル３１Ｃ等が設けられている。
【００５８】
これら各種情報を記憶するための記憶装置３１は、物理的に離れた場所に配置されていても、本実施の形態における機能を果たすことができれば中央制御手段１２の概念に含まれる。
【００５９】
画像・音声・文字情報ファイル３１Ａには、ある表示素材に対応してそれに関連する情報が記憶されている。例えばある音楽バンドのイベントの映像素材に対応して、その映像素材の識別情報が付加され、その音楽バンドの経歴やコンサートの予定等の各種文字情報や、コンサートの映像記録や、バナー広告等がデータとして格納されている。この場合、付加された識別情報により対応付けられていれば、表示素材はすでに記録されたものだけでなく、将来収録されるライブコンサート等であっても構わない。また、表示素材との対応付けは、データに付加された識別情報によるものだけでなく、階層構造を持つディレクトリによるデータ管理や、データベースアプリケーションを利用したもの等であっても構わない。
【００６０】
この情報ファイル３１Ａにはさらにプロファイル情報に関連したアナウンス情報なども記憶されているものとする。プロファイル情報に先駆けて会場に参加している携帯端末装置所持者（参加者）にその参加者の紹介情報を配信した後で、このプロファイル情報を配信するときのその紹介情報をアナウンス情報と言う。
【００６１】
また、端末ＩＤデータファイル３１Ｂには、携帯端末装置の端末ＩＤ符号や、端末ＩＤ符号毎に現在所属する大型映像表示装置の位置情報や、所属する個人ＩＤ符号等が記憶されている。個人ＩＤデータファイル３１Ｃには、個人ＩＤ符号の他に、個人ＩＤ符号毎の予め登録された指紋データ、瞳パターンデータ、文字パターンデータ、あるいはＩＣカードデータ等が記憶されている。
【００６２】
センターサーバ３には後述する指紋比較選択手段３２、瞳比較選択手段３３、文字（サイン）比較選択手段３４およびＩＣカード比較選択手段３５が設けられている。中央制御手段１２には少なくとも一人のオペレータがついており、多数のモニター３０を見ながら、どの大型映像表示装置５にどんな映像を流すか制御している。
【００６３】
例えば、大型映像表示装置５Ａで表示される大型映像画面の前で音楽バンドのイベントとしてライブコンサートが行われ、このライブコンサートをビデオカメラ６Ａ，６Ｂで撮像された表示素材として他の大型映像表示装置５Ｂ，５Ｃ，５Ｄへ送信することを考える。
【００６４】
大型映像表示装置５Ａのビデオカメラ６Ａ，６Ｂからの映像と、周辺マイクロホン９Ａ，９Ｂ，９Ｃ，９Ｄからの音声は、中央制御手段１２へ集められ、若干の編集を施されて、他の大型映像表示装置５Ｂ，５Ｃ，５Ｄへ配信される。また、大型映像表示装置５Ｂ，５Ｃ，５Ｄからの、大型映像画面の前面に居る人々の様子は、それぞれのビデオカメラ６Ａ，６Ｂで撮影され、周辺マイクロホン９Ａ，９Ｂ，９Ｃ，９Ｄからの音声と共に、他の大型映像表示装置に配信されて表示される。
【００６５】
中央制御手段１２を備えたセンター１００には、各大型映像表示装置５のビデオカメラからの映像および各大型映像表示装置５へ送出している映像を写すモニター３０群があり、オペレータはモニター３０群を見ながら、最も効果のある演出を行えるよう、映像情報の切り替えを行う。このような演出を行うことで、大型映像表示装置５Ａ，５Ｂ，５Ｃ，５Ｄを一体化し、大勢の人が、大型映像表示装置５Ａ，５Ｂ，５Ｃ，５Ｄの前に集まることが期待できる。
【００６６】
次に、大型映像の基地装置と、携帯端末装置であるＰＤＡとの情報のやり取りについて説明する。図８は大型映像の基地装置２と携帯端末装置であるＰＤＡ１３との情報のやり取りを示すフローチャートである。
【００６７】
携帯端末装置であるＰＤＡ１３の電源をオンすると（ステップ１０１）、ＰＤＡ１３が間欠的に基地装置２から発信された信号をサーチすることで、当該ＰＤＡ１３は大型映像の基地装置２のサービスエリア内か否かを判別する（ステップ１０２）。ＰＤＡ１３が大型映像の基地装置２のサービスエリア内である場合には、ＰＤＡ１３は固有の端末識別（ＩＤ）符号情報を付けて基地装置２へサービス（各種情報の提供）を要求する（ステップ１０３）。
【００６８】
ＰＤＡ１３のアンテナ１７から発信された電波は基地装置２のアンテナ１１に受信され、端末ＩＤ符号情報はローカル・プロセッサ７、回線を経て中央制御手段１２に送られ、ＰＤＡ１３の端末ＩＤ符号が記憶装置３１内に設けられた端末ＩＤデータファイル３１Ｂのデータと比較される（ステップ１０４）。
【００６９】
端末ＩＤデータファイル３１Ｂに格納されたデータ内に当該ＰＤＡ１３の端末ＩＤ符号がある場合には、当該ＰＤＡ１３のＩＰアドレスが確定され（ステップ１０５）、これによってＰＤＡ１３と基地装置２が通信可能となり、基地装置２からＰＤＡ１３へ「了解」の返信がなされる（ステップ１０６）。
【００７０】
端末ＩＤデータファイル３１Ｂには、端末ＩＤ符号毎に、当該端末ＩＤ符号のＰＤＡ１３が現在所属するサービスエリアの基地装置２の位置情報や、当該ＰＤＡ１３のバージョンさらには製造ナンバー等も必要に応じて記憶されるようになっている。なお、端末ＩＤデータファイル３１Ｂは中央制御手段１２だけではなく、各基地装置２にも設置しておくこともできる。
【００７１】
次いで、ＰＤＡ１３から所望のサービスが要求されると、基地装置２では要求されたサービスは提供できるか否か判別し（ステップ１０７）、要求されたサービスの提供が可能であると判別した場合には、ＰＤＡ１３へ当該サービスを提供する（ステップ１０８）。その後、ＰＤＡ１３への当該サービスの提供が完了したか否か判別され（ステップ１０９）、ＰＤＡ１３へ当該サービスの提供が完了すると、次のサービスの要求待ち、つまり待機状態となる。
【００７２】
一方、ステップ１０７で、要求されたサービスは提供できないと判別された場合には、基地装置２からＰＤＡ１３へ「要求されたサービスは提供不可」である旨を返信し（ステップ１１０）、次のサービスの要求待ちの状態となる。要求されたサービスを提供できるか否かを判別するのは、後述する個人識別が必要なサービスがあるためである。そして、ＰＤＡ１３の電源をオフにすると、ＰＤＡ１３と基地装置２との通信が停止される（ステップ１１１）。
【００７３】
すなわち、ＰＤＡ１３から発信された固有の端末ＩＤ符号と端末ＩＤデータファイル３１Ｂに記憶された端末ＩＤデータとを比較し、このデータの中に当該ＰＤＡ１３の端末ＩＤ符号がある場合には、課金対象が確定されることになり、当該ＰＤＡ１３にＩＰアドレスが付与され、当該ＰＤＡ１３が基地装置２と通信可能となるようになっている。なお、携帯端末装置１３自身にインターネットブラウザー機能を持たせると、インターネットにリンクを張ることで、インターネット上の様々な情報がアクセス可能になる。
【００７４】
第９図は個人の識別の流れを示す図である。ＰＤＡ１３の使用者が液晶部１５の特定の部分を例えば親指で押下すると、指紋識別センサ２２で使用者の指紋を読みとり、その形状をドットパターンに変換し、データ化する。
【００７５】
使用者が液晶部１５にペンにより特定の文字（例えばサイン）を入力すると、ペン入力センサ２１で入力された文字を読みとり、その形状をドットパターンに変換し、データ化する。
【００７６】
ＣＣＤカメラ１６を操作することにより使用者の瞳のパターンを検出し、その形状をドットパターンに変換し、データ化する。
【００７７】
更に、必要に応じてＰＤＡ１３に装着された個人識別情報であるＩＣカード１８のデータが読み取られる。このようにして、ＰＤＡ１３に指紋、瞳パターン、文字パターンおよびＩＣカードのデータ等の個人識別情報が入力されデータ化される（ステップ２０１）。
【００７８】
次いで、ＰＤＡ１３自身の端末ＩＤ符号が読み出され（ステップ２０２）、上記個人識別情報と端末ＩＤ符号が併せて基地装置２を介してセンターサーバ３へ転送される（ステップ２０３）。
【００７９】
センターサーバ３では、指紋比較選択手段３２が転送された個人識別情報の指紋データと個人ＩＤデータファイル３１Ｃに登録された指紋データとパターンマッチングを行う（ステップ２０４）。予め登録されている指紋データと現在転送された指紋データとのマッチングが取れれば、マッチングが取れた登録指紋データを有する個人ＩＤ符号が特定され（ステップ２０５）、当該個人ＩＤ符号と当該端末ＩＤ符号との対応テーブルが作成される（ステップ２０６）。
【００８０】
ステップ２０４で、予め登録されている指紋データと現在転送された指紋データとのマッチングが取れなかったら、個人ＩＤ符号を特定できないことになるので、課金を伴う特定のサービスは受けることができない（ステップ２０７）。
【００８１】
センターサーバ３では瞳比較選択手段３３において、転送された個人識別情報の瞳パターンデータと、個人ＩＤデータファイル３１Ｃに登録された瞳パターンデータとのパターンマッチングを行う（ステップ２０４）。予め登録されている瞳パターンデータと現在転送された瞳パターンデータとのマッチングが取れれば、マッチングが取れた瞳パターンデータを有する個人ＩＤ符号が特定され（ステップ２０５）、当該個人ＩＤ符号と当該端末ＩＤ符号との対応テーブルが作成される（ステップ２０６）。
【００８２】
ステップ２０４で、予め登録されている瞳パターンデータと現在転送された瞳パターンデータとのマッチングが取れなかったら、個人ＩＤ符号を特定できないため、課金を伴う特定のサービスは受けられなくなる（ステップ２０７）。
【００８３】
センターサーバ３では、文字（サイン）比較選択手段３４において、転送された個人識別情報の文字パターンデータと、個人ＩＤデータファイル３１Ｃに登録された文字パターンデータとのパターンマッチングを行う（ステップ２０４）。予め登録されている文字パターンデータと現在転送された文字パターンデータとのマッチングが取れれば、マッチングが取れた文字パターンデータを有する個人ＩＤ符号が特定され（ステップ２０５）、当該個人ＩＤ符号と当該端末ＩＤ符号との対応テーブルが作成される（ステップ２０６）。
【００８４】
ステップ２０４で、予め登録されている文字パターンデータと現在転送された文字パターンデータとのマッチングが取れなかったら、個人ＩＤ符号を特定できないため、課金を伴う特定のサービスは受けられなくなる（ステップ２０７）。
【００８５】
センターサーバ３では、ＩＣカード比較選択手段３５において、転送された個人識別情報のＩＣカードデータと、個人ＩＤデータファイル３１Ｃに登録されたＩＣカードデータとのマッチングを行う（ステップ２０４）。予め登録されているＩＣカードデータと現在転送されたＩＣカードデータとのマッチングが取れれば、マッチングが取れたＩＣカードデータを有する個人ＩＤ符号が特定され（ステップ２０５）、当該個人ＩＤ符号と当該端末ＩＤ符号との対応テーブルが作成される（ステップ２０６）。ステップ２０４で、予め登録されているＩＣカードデータと現在転送されたＩＣカードデータとのマッチングが取れなかったら、個人ＩＤ符号を特定できないから、課金を伴う特定のサービスは受けられなくなる（ステップ２０７）。
【００８６】
上述した個人識別情報としては、指紋、瞳パターン、文字パターン又はＩＣカードのデータうち何れか１つのデータのみを用いてもよく、また複数のデータを併用してもよい。個人識別情報として指紋、瞳パターン、文字パターンおよびＩＣカードのデータのうち複数のデータを併用した場合に、１つのデータでマッチングが取れれば、他のデータでマッチングが取れなくても、マッチングが取れたものと判断して、このマッチングデータにより個人ＩＤ符号を特定する。
【００８７】
このようにセンターサーバ３に設けられた比較選択手段３２，３３，３４，３５では、個人ＩＤデータファイル３１Ｃに記憶されている個人識別データと、ＰＤＡ１３から送られた個人識別情報取得手段２１，２２，１６，１８により取得された個人識別情報とを比較し、個人識別データの中から個人識別情報と合致するデータを選択して個人ＩＤ符号を特定するので、ＰＤＡ１３の使用者である個人の識別ができ、１台のＰＤＡ１３を複数の人が使用することができる。しかも個人ＩＤデータファイル３１Ｃや比較選択手段３２，３３，３４，３５がセンターサーバ３側に設けられているので、ＰＤＡ１３の処理機能が少なくてすみ、ＰＤＡ１３の小型化と省電力化が図れる。
【００８８】
個人ＩＤ符号が特定された場合は、その携帯端末装置１３に対して大型映像表示装置５を用いた配信サービスが行われる。大型映像表示装置５に表示されている素材に関連する情報は、画像・音声・文字情報ファイル３１Ａから、データに付加されている素材の識別情報を元に読み出される。基地装置２は、大型映像表示装置５に表示されている素材に関連して、センターサーバ３から回線を介して得られたその表示素材に対応する情報および／又は情報のリストを無線によりＰＤＡ１３に送信する。
【００８９】
ＰＤＡ１３の液晶部１５には基地装置２から受信した情報のリストが表示され、ユーザがＰＤＡ１３の液晶部１５に表示されている情報リストから所望の情報を選択する。その情報を選択することによって、例えば大型映像に使用された音楽のミュージシャンが出演しているアルバムの一覧などをＰＤＡ１３に表示することができる。
【００９０】
ここで、使用者が好きな曲を選び、ダウンロードを希望すれば、コンテンツプロバイダー３７から、そのコンテンツ情報、ここでは選択された曲がセンターサーバ３、基地装置２経由で、無線を介してＰＤＡ１３にダウンロードされる。
【００９１】
このように現在大型映像表示装置５に表示中の素材を見て興味が喚起されたときには、ＰＤＡ使用者はこの表示映像に関連する各種情報を簡単な操作でアクセスし、場合によっては必要な情報を入手できる。つまり欲しい情報を簡単、迅速、かつ的確に取得できる。
【００９２】
また、音楽をダウンロードするには、電話線を用いた場合には、５メガバイトのデータでは１０分以上かかる。ここでは、基地装置２の周辺にサービスエリアを限定することにより、一人当たりの回線容量を大きく取ることが可能になる。そのため例えば音楽をダウンロードするには、１０Ｍｂｐｓの速度では４秒でダウンロードが終了するから、ユーザのストレスを少なくできる。
【００９３】
次に、課金の仕組みについて第１０図を参照して説明する。携帯端末装置であるＰＤＡ１３が基地装置２の無線サービスエリア内に入ると、ＰＤＡ１３は既に説明したように基地装置２と交信してデータ送受の待機状態になる。次に、ＰＤＡ１３は指紋、瞳パターン、文字パターンおよびＩＣカードといった個人識別情報を基地装置２を介してセンターサーバ３へ転送する。センターサーバ３では転送された個人識別情報と個人ＩＤデータファイル３１Ｃのデータとを比較することでユーザの個人ＩＤ符号を確定し、ユーザの識別を行い、課金対象を確定する。
【００９４】
そして、上述の例のように、ユーザが好きな曲を選び、ダウンロードを希望すれば、基地装置２から無線を介してＰＤＡ１３へダウンロードされ、ダウンロードが完了したら、個人ＩＤ符号に基づいて当該ユーザにコンテンツの料金を課金するようになっている。もし、ユーザの個人ＩＤ符号が特定できない場合には、課金対象が特定しないために当該ユーザはこのサービスを受けられない。
【００９５】
第１０図では、個人識別情報と個人ＩＤデータファイル３１Ｃのデータとを比較することでユーザである個人に課金する例を説明したが、個人識別情報と共にＰＤＡ１３の端末ＩＤを基地装置２を介してセンターサーバ３へ転送し、センターサーバ３では転送されたＰＤＡ１３の端末ＩＤと端末ＩＤデータファイル３１Ｂのデータとを比較することで端末ＩＤ符号を確定し、上述のユーザの識別結果に基づき、その端末装置に対して課金してもよい。複数人で構成されたグループでＰＤＡ１３を所有して配信サービスを受ける場合に好適である。
【００９６】
次に、暗号化とＩＣメモリの関連について第１１図を参照して説明する。大型映像の基地装置２と携帯端末装置であるＰＤＡ１３とは無線で通信を行うので、データのセキュリティー確保は非常に重要である。その対策として、情報の暗号化がある。
【００９７】
第１１図に示すように、ＰＤＡ１３では暗号化されていない原情報に、ＣＰＵ（Central Processing Unit）あるいは専用ハードウエアを用いて暗号化処理を行い、暗号化情報とする。その時用いる暗号化に使う符号データ、例えばキー情報は第１２図に示すようにＰＤＡ１３に装着するＩＣメモリ１９で供給するようにする。
【００９８】
個人別に暗号化処理キーを割り当てておけば、個人の識別により確定した個人ＩＤ符号と当該個人に割り当てたＩＣメモリ１９の暗号化処理キーとが一致した場合のみ、データの解読が可能になり、データのセキュリティーを格段に高めることができる。
【００９９】
次に、携帯端末装置であるＰＤＡ１３の持つ処理機能がデータの入出力に絞られたものになり、ＰＤＡ１３の小型化と省電力化が可能なことを第１３図を参照して説明する。ここでは、例えばＣＣＤカメラ１６で撮った画像を加工して、メールに添付して送る場合について説明する。
【０１００】
（１）ＰＤＡ１３に付属したＣＣＤカメラ１６で撮影された画像データは、ＰＤＡ１３に取り込まれ、一時記憶用メモリ２５に蓄えられて液晶部１５に表示されると同時に、センターサーバ３へ画像データが送られ、センターサーバ３で蓄積される。センターサーバ３では、画像データの加工に必要なアプリケーションを立ち上げ、ＰＤＡ１３からの指示を待つ。
（２）ＰＤＡ１３からセンターサーバ３へ画像データへの加工指示が出され、センターサーバ３ではその加工指示に基づいて画像を加工する。
（３）加工後の画像データは、センターサーバ３からＰＤＡ１３へ送られ、ＰＤＡ１３の液晶部１５に表示される。
（４）ＰＤＡ１３では、図示せぬペンにより液晶部１５にメール用の文字入力を行い、この文字データは直ちにセンターサーバ３へ送られる。
（５）センターサーバ３では、この文字データをメールソフトで処理し、必要な表示データとしてＰＤＡ１３へ送り、ＰＤＡ１３の液晶部１５に表示させる。
（６）ＰＤＡ１３からのメール送信の指示に従い、センターサーバ３はこのメールに画像ファイルを添付して宛先アドレスへ送信する。
【０１０１】
従って、携帯端末装置であるＰＤＡ１３では、入出力処理以外は行わず、処理に必要なデータをセンターサーバ３へ送って、センターサーバ３側で処理を行うようにすれば、ＰＤＡ１３に多様な応用ソフトを搭載する必要がなくなる。これにより、ＰＤＡ１３の処理機能が少なくてすみ、消費電力も少なくなり、小型化と省電力化が図れる。
【０１０２】
上述実施の形態では、端末ＩＤデータファイル３１Ｂ、個人ＩＤデータファイル３１Ｃおよび比較選択手段３２，３３，３４，３５をセンターサーバ３側に設けたが、これに限定されるわけではなく、端末ＩＤデータファイル３１Ｂ、個人ＩＤデータファイル３１Ｃおよび比較選択手段３２，３３，３４，３５を基地装置２に設けてもよい。
【０１０３】
また、この携帯端末装置同士が互いに通信できるシステムにすることが好適である。第１４図は携帯端末装置同士のデータ交換を説明する図である。ここでは携帯端末装置と総称して説明する。
【０１０４】
大型映像表示装置５Ａのサービスエリア１４１内にある携帯端末装置Ａから、場所不明の携帯端末装置Ｂに対してメッセージが送られると、それは一旦センターサーバ３に蓄積され、センターサーバ３の端末ＩＤデータファイル３１Ｂには、現在、携帯端末装置Ａがサービスエリア１４１にいることが情報として蓄えられる。そこへ、携帯端末装置Ｂがサービスエリア１４２に新たに登録されると、携帯端末装置Ｂに対して、サービスエリア１４１にいる携帯端末装置Ａからのメッセージが有ることが通知される。
【０１０５】
もし、携帯端末装置Ｂが携帯端末装置Ａに返信すれば、それはセンターサーバ３経由で直ちに携帯端末装置Ａへ転送されるので、携帯端末装置Ａ，Ｂ間のコミュニケーションが成立する。また、携帯端末装置Ａ，Ｂが同じサービスエリアにいる時も、同様にセンターサーバ３を経由することで、携帯端末装置Ａ，Ｂがコミュニケーションを行う。
【０１０６】
大型映像表示装置５Ａのサービスエリア１４１内にある携帯端末装置Ａから、場所不明の携帯端末装置Ｃに対してメッセージが送られると、それは一旦センターサーバ３に蓄積され、センターサーバ３の端末ＩＤデータファイル３１Ｂには、現在、携帯端末装置Ａがサービスエリア１４１にいることが情報として蓄えられる。
【０１０７】
そのような状態にあるとき携帯端末装置Ｃがサービスエリア１４３に登録されると、携帯端末装置Ｃに対して、サービスエリア１４１にいる携帯端末装置Ａからのメッセージが有ることが通知される。もし、携帯端末装置Ｃが携帯端末装置Ａに返信すれば、それはセンターサーバ３経由で直ちに携帯端末装置Ａへ転送されるので、携帯端末装置Ａ，Ｃ間のコミュニケーションが成立する。
【０１０８】
また、個人ＩＤデータファイル３１Ｃに基づき、携帯端末装置Ａ，Ｂ，Ｃを使用している個人に係る情報（個人ＩＤ符号）を特定し、メッセージの通知が行われるとき、携帯端末の使用者である互いの個人に係る情報（個人ＩＤ符号）を、併せて通知するようにしてもよい。
【０１０９】
さらにまた、個人に係る情報（個人ＩＤ符号）に基づき携帯端末装置を特定し、その特定された携帯端末装置に対してメッセージを転送するようにしてもよい。このように携帯端末装置同士のデータ交換が可能なシステムにすることにより、配信サービスを受けるための端末だけでなく、個人の間のメッセージ交換にも携帯端末装置を広く適用できる。
【０１１０】
携帯端末装置として液晶部にペンで入力するタイプのＰＤＡとしたが、これに限らず、キーボードを有するＰＤＡでもよく、また無線で通信可能な他の携帯端末装置であってもよいことは勿論である。
【０１１１】
ＰＤＡ１３にはＣＣＤカメラ１６が付属しているとしたが、これに限らず、ＣＣＤカメラ１６が付属していなくてもよいことは勿論である。指紋識別センサ３２が例えば親指の指紋を読み取るとしたが、これに限らず、人差し指、中指等の他の指の指紋を読みとってもよく、また親指、人差し指、中指等の複数の指の指紋を読みとってもよい。
【０１１２】
このように上述した配信システムでは、基地装置又は中央処理装置が、記憶手段に記憶されている個人識別データと携帯端末装置から送られた個人識別情報取得手段により取得された個人識別情報とを比較し、個人識別データの中から個人識別情報と合致するデータを選択して個人識別符号を特定し、比較選択手段で個人識別符号を特定できた場合には、携帯端末装置は基地装置から情報を得ることができるので、携帯端末装置の使用者である個人の識別ができ、第３者による不正使用を防止し、１台の携帯端末装置を複数の人が使用可能である。しかも記憶手段や比較選択手段が基地装置又は中央処理装置に設けられているので、携帯端末装置の処理機能が少なくてすみ、携帯端末装置の小型化と省電力化を図ることができる。
【０１１３】
携帯端末装置が文字や画像のデータの入出力処理をし、中央制御装置が文字や画像のデータを加工処理するので、携帯端末装置の処理機能が少なくてすみ、携帯端末装置を一層小型化し省電力化することができる。
【０１１４】
上述した実施の形態では、何れも携帯端末装置（ＰＤＡ）とネットワーク化された単一の基地装置（基地局）（若しくはこれら基地局に接続されたセンター）との間での交信を通じて、基地装置に備えられた大型映像表示装置に情報を配信する形態を例示した。
【０１１５】
以下は基地装置と交信できる範囲内に存在する複数の携帯端末装置を所持する者（以下参加者という）が、参加者同士の情報を共有して、情報の交換、共有などを通して一種のコミュニティー形成の支援を目的として、コミュニティー強化に必要な共通の情報を基地装置あるいはセンター（中央処理装置（Central Processing Station）から必要に応じて大型映像表示装置に配信できるようにした配信方法および配信システムを説明する。
【０１１６】
この場合の参加者は一般には不特定の第三者同士であって、血縁、地縁関係を有しない者同士がコミュニティーを形成することになるので、コミュニティー形成に有効な時間、空間の共有に併せて、情報の共有環境の提供が目的である。参加者の固有情報などはそのコミュニティー広場への参加を確認した段階で、他の参加者に配信され、これによって参加者同士が情報の共有による連帯感、一体感を図れる。
【０１１７】
このようなコミュニティーを形成する場合には、参加者を描写する情報（以下プロファイルという）を予め基地装置２内またはセンター１００内に置かれた情報記憶手段に保存しておく。第１５図に示すこの発明に係る配信システムの実施の形態ではセンター１００側に新たにプロファイル情報記憶手段３１Ｄが設けられ、このプロファイル情報記憶手段３１Ｄに参加者のプロファイル情報が保存されている。このプロファイル情報は過去にコミュニティーに参加した者のみならず、このような形態のコミュニティー参加を予め希望した者のプロファイル情報も保存されている。第１５図の構成にあって、第７図と対応する部分には同一符号を付し、その説明を省略する。
【０１１８】
なお、配信情報記憶手段３１Ａには後述するように配信情報の他に、プロファイル情報を配信するときに使用する定型の紹介情報つまりアナウンス情報などが記憶されているものとする。
【０１１９】
第１６図に参加者のプロファイル情報の一例を示す。このプロファイル情報は個人情報であるためプライバシーを考慮する必要がある。そのため、実施の形態では複数の開示レベルが設定され、参加者が承諾した開示レベルのプロファイル情報のみが配信されることになる。
【０１２０】
開示レベルは数段階に設定することができ、開示レベルはその都度参加者が指定できるようにすることもできれば、あらかじめの設定により、まずは差し障りのないプロファイル情報のみを開示するように設定することもできる。
【０１２１】
第１６図は個人情報ではあるが、参加者に開示しても差し障りのないしたがって、プライバシーの程度が低いプロファイル情報の一例であって、図１６は最もポピュラーな開示情報であると言える。このプロファイル情報の項目構成、項目数、項目の内容などはあくまで一例である。
【０１２２】
第１７図はこのコミュニティーを構築するときに使用する情報の配信方法を実現するための処理手順の実施の形態を示すフローチャートである。このフローチャートは説明の便宜上参加者側の処理手順と基地装置２（およびセンター１００）側の処理手順の双方をまとめて記述してある。
【０１２３】
参加者が特定の基地装置が設置された例えばあるイベント会場（コミュニティー会場）に入場した場合、参加者から自己の携帯端末装置１３を操作して基地装置２に個人認証データを送信する。あるいは所有するＰＤＡから自動的に個人認証データを送信する（ステップ１１０）。基地装置を介してセンター１００側がこの個人認証データを受信すると、センター１００側に備えられた個人識別データ記憶手段（認証用データベース）３１Ｃを参照して、既に登録されている参加者であるかどうかをチェックし、既登録者であるときには参加資格を有する旨の情報を返信して認証が行われる（ステップ１１１）。
【０１２４】
次に、参加者は自己のプロファイル情報の開示レベルと配信方法を指定するための情報（プロファイル配信制御データ）を送信する（ステップ１１２）。このデータにより、後述するように自動配信モードと紹介配信モードの何れかを選択するか、配信すべきプロファイル情報の開示レベルをどれにするか、あるいは参加者が作成した最新のプロファイル情報を自らの情報端末装置を使用して配信（自己配信）するかなどの制御が行われる。
【０１２５】
センター１００側ではこの配信制御データを解析する（ステップ１１３）。自己配信モードが選択されているときは、センター１００側は関与せず、参加者自らの配信処理を待つことになる（ステップ１１４）。
【０１２６】
自己配信モードではないときには、センターからの制御により配信が行われるので、次に配信方法の態様（アナウンス選択の有無）を判別する（ステップ１１５）。紹介無しであるときには、指定された開示レベルのプロファイル情報が紹介用のアナウンスなしで、参加者に配信される（ステップ１１６）。この際プロファイル情報に対する開示レベルの指定がないときには、最も一般的なプロファイル情報を開示するようなデフォルトに設定されている。
【０１２７】
紹介付き配信であるときには、紹介アナウンス情報を例えば配信情報記憶手段３１Ａから読み出して参加者全員に配信すると共に、多少のタイムラグを置いて指定された開示レベルのプロファイル情報が配信される（ステップ１１７）。この紹介配信モードの場合でも、プロファイル情報に対する開示レベルの指定がないときには、最も一般的なプロファイル情報を開示するようなデフォルトに設定されている。
【０１２８】
紹介配信モードとは、センター１００側で、予め用意されたアナウンス情報（これから、こういう方のプロファイルを配信しますというような紹介アナウンス情報）を配信した上で、その個人のプロファイル情報を配信するモードである。このモードを選択すると、会場にいる人は次にどのような情報が配信されるかを予め認識できるから便利である。この紹介配信モードでも、予めプロファイル情報の開示レベル（３段階）が設定される。なお、アナウンスは、センターに座る生身の人間が行う事もできる。
【０１２９】
この動作におけるＰＤＡ１３側の状態を説明する。
第１８図は参加者側の液晶部１５（第４図参照）に送信モード設定メニューの一例を示す。この例では参加者自身が、第１７図に示すステップ１１３とステップ１１５とそれ以降において使用するプロファイル情報のレベル設定と配布方法選択権を有する。参加者は自己のプロファイル情報の開示レベルと配信方法を指定するための情報（プロファイル配信制御データ）を送信する（第１７図のステップ１１２）。
【０１３０】
この配信制御データにより、上述したように自動配信モードと紹介配信モードの何れかを選択するか、配信すべきプロファイル情報の開示レベルをどれにするか、あるいは参加者が作成した最新のプロファイル情報を自らの情報端末装置を使用して配信（自己配信）するかなどの制御が行われる。
【０１３１】
情報開示レベルの指定方法の一例を第１８図に示す。図では、一般的なプロファイル情報（第１開示レベルＩ）から次第にプライバシーの強いプロファイル情報（第２、第３の開示レベルII，III）となる３段階の開示レベルに分かれている場合を示す。したがってその前提として参加者は予めそれぞれの開示レベルに関する情報を提供し、センター１００側ではこの開示レベル情報も併せてプロファイル情報記憶手段３１Ｄに保存されているものとする。
【０１３２】
上述した設定は、携帯端末装置１３の液晶部１５を使用して行う。したがって携帯端末装置１３に設けられたマイコン制御部では上述したような使用者からの応答に基づいた情報処理と送受信処理を行うことになる。
【０１３３】
以上のように、参加者のプロファイル配布をサポートする配信システムとすることにより、各々の参加者の意思に沿ったプロファイル情報が他の参加者全員により容易に共有される。これによって参加者達は、互いに知り合う事で、コミュニティーへの参加意識を高め、連帯感、一体感の高揚をはかることができる。
以上が、コミュニティー形成の最初のステップである参加者の相互認識を支援するシステムの説明である。
【０１３４】
参加者のプロファイル情報の交換が終了すると相互認識により緩いコミュニティーが形成される。次に、参加者間の情報交換を行うためのテーマ選定支援についての配信システムを説明する。
【０１３５】
まず、参加者のプロファイル情報からテーマを抽出する例を以下に説明する。特定の会場に参加した参加者が決まることで、センター１００側では全参加者のプロファイル情報をリストアップし、これをテーブル化する。第１９図は参加者ＡからＰまでの総計１６人がそのコミュニティーに参加した場合であって、そのときのプロファイル情報を１０項目としたときのテーブル例である。プロファイル情報の具体例の表示は割愛する。
【０１３６】
プロファイル情報をテーブル化することによって、そのとき集まった人たちの集団としての特性がテーブル上に現れるので、ここから、その特定集団の特性に合わせてもっとも適当と思われるテーマを自動提案する配信システムを次に説明する。
【０１３７】
次に、このテーブルから項目を選択する。
プロファイルの項目により、集団特性からはっきりした傾向が出ない場合、例えば、年齢構成で10代〜80代まで、それぞれ10年毎に区切ったときに、それぞれ２人ずつの分布になった場合いずれの年齢層も同じ人数がいる事になる。そこで、これを成人と未成年として区切れば、10代は２人、成人は16人となり、はっきりとした傾向が出る。すなわち、内容が類似した項目を上位の概念で括る事で類型化ができる。また、プロファイル情報が年齢構成のように定型化されて無い場合、個人の自由に任せることによって、色々な記載の仕方でプロファイル情報が構築されている場合にこの方法の適用が考えられる。
【０１３８】
例えば、料理という項目があったとき、和食、洋食、中華などといった概念で記述している場合もあれば、同じ洋食でも、卵料理が好きであると記述する場合もあれば、目玉焼き、オムレツといったより具体的な名前を挙げて記述することもある。また、洋食であってもステーキが好きであるとする人もいれば、スパゲティーが好きであると記述することもある。
【０１３９】
したがってこれらの情報から共通の概念で括る作業を行う。括りを大きくすることで、共通項目についての上位概念である代表概念が決まる。代表概念が複数にわたるとき、その代表概念に括られた項目の人数が変わってくるので、重み付けを行う。
【０１４０】
重み付けする一つの方法としては、括られた項目に属する人数を挙げる事ができる。括った結果、人数が同じくらいな場合は、その項目については顕著な傾向が、その集団には無かったとしてそれをテーマ選択の要素から省く。
【０１４１】
たとえば、判定基準として、全体の３分の２以上を示す項目を、テーマの判定基準として選ぶことで、この集団のプロファイル表から、この集団に相応しいと思われるテーマの選定が可能となる。このテーマ選定の自動化に際しては、
１）重み係数
２）判定基準値
など、テーマ選定に拘わる数値を、集団における活性度を測定することで、適応的に可変にすることが相応しい。
【０１４２】
たとえば、上述した重み係数は、集団運営において、年齢構成は大きな影響を持たないデータとして蓄積することで、テーマ選択における年齢構成の項目の重みを減らすことになる。つまり、テーマ選定での重み係数は、
（その項目に属する人数）×（項目の重み係数）
となる。
【０１４３】
次に、上述した判定基準は、その項目がどの程度の傾向を示したときに、取り上げるかを判定する基準値であって、その項目内での小項目の偏りをあらわす。例えば、性別については、男女で４：６になっても特に女性向テーマでなくてもよくて、２：８になったら必ず女性向のテーマにすることが、過去データから良いことがわかる場合、判定基準値は３：７に選ぶことが適当である。
【０１４４】
このようにして選ばれた項目を整理することで、今回コミュニティー会場に参集した参加者グループの特性が求まる。例えば、40歳以上の男性、和食が好きで、暖色系を好み、俳優としてはビジュアル系が好きであると言った傾向を把握できる。
【０１４５】
なお、共通の概念は、プロファイル情報を各参加者が登録する際に、その入力情報を共通概念に限定することによって、これらの共通概念の項目から、選択的に入力するように構成されていてもよい。
【０１４６】
次に、選ばれた項目に関係の深いテーマを検索し、収集する。例えば和食というテーマに関する関連資料を検索する。テーマの検索はセンター１００内の配信情報記憶手段３１Ａのデータベースを用いるか、若しくはこのセンター１００に接続されたインターネット１０１（第１５図参照）を活用する。つまりインターネット１０１に接続されたＷｅｂサイトを検索して対応するデータベースを参照して関連資料の収集を行う。
【０１４７】
収集した関連資料のうち、そのテーマに最も関連性の深い映像情報（動画像、静止画像）やデータなどを配信情報としてセットする。そして、このデータセットは情報量が多いので、そのアウトラインを示す情報（レジメ）をテーマ選定メニュー画面（レジメ画面）として、携帯端末装置１３に配信する。同時に大型映像表示装置５にも配信して表示することもできる。参加者は配信されたレジメ画面からこれからのテーマを選定する。テーマが確定されたことをセンター１００側に確認されると、データセットの中から順次関連資料を携帯端末装置１３あるいは必要に応じて大型映像表示装置５にも配信する。以上の処理を経ることで、センターによる、参加者のプロファイルに基づいたテーマ選択と参加者への提案が実現できる。
【０１４８】
以上のような処理を実現するため、センター１００側では第２０図に示すような手順で配信処理が行われる。まずコミュニティー会場内の全参加者のプロファイル情報をリストアップしてプロファイル情報のテーブルを作成する（ステップ１２１）。次に、テーブル化されたプロファイル情報から共通関心項目を例えばその代表概念を利用して抽出し（ステップ１２２）、抽出された代表概念に重み付けを行うと共に、重み付けされた最も数値の高い代表概念同士を括ってグループ化する（ステップ１２３）。そして数値の最も大きなグループに含まれる項目から関連する資料の検索、収集を行う（ステップ１２４）。
【０１４９】
共通項目に関連した情報（映像、その他）を配信資料としてセットすると共に（ステップ１２５）、セットされた関連資料についての簡易表示メニュー（レジメ）を作成してこれを参加者に配信し（ステップ１２６）、配信された共通項目（テーマ）を参加者の意思で決定する。
【０１５０】
テーマ選定にあたっては複数の参加者が同時にセンター１００に対してアクセスすることが考えられるので、この場合には最初のアクセス者にテーマを選定する権限を与えるか、あるいは複数のアクセス者の中で最も多かったテーマを選定するなど、色々な方法が考えられる。最初のアクセス者にテーマ選定権を与えるのが、一番簡単である。
【０１５１】
参加者の意思（テーマの選定情報）は集計されて、センター１００から携帯端末装置１３から伝達されるので、決定された関連情報（映像、音声、データなど）が参加者と大型映像表示装置に順次配信される（ステップ１２７）。
【０１５２】
このような配信処理を行うようにすれば、コミュニティー会場に参加した参加者自らが共通テーマを選定できるような配信システムとなっているので、コミュニティー会場への参加意識が強まり、参加者同士が会話を交わしながら情報を交換し合うインタラクティブな配信システムを構築できる。
【０１５３】
次に、定型パターンに沿って限定的に入力された個人情報によって個人のプロファイル情報が作成されている場合の共通テーマの選定について第２０図および第２１図を参照して説明する。説明の都合上、プロファイルの項目は全部で８項目としたとき、参加者全員のプロファイル情報をリストアップすることによって、第２１図のようなリストアップ項目が得られたものとする（第２０図のステップ１２１）。
【０１５４】
そして、同図の参加者プロファイル情報集計データの項目には、これら選択された項目（共通項目）の集計データに基づいてそれぞれの項目毎に人数の多い順にプロファイル情報が並べられている。そして、最も人数の多いものの重み係数が％表示されると共に、重み係数の大きい順に順位が付けられる。
【０１５５】
そして、この例では重み係数が例えば５０％以上の共通項目だけ関連資料の検索対象としている（第２０図のステップ１２２，１２３）。その結果、この例の場合には項目１，項目３および項目６が検索対象として絞り込まれる（項目はあくまでも例示的列挙である）。
【０１５６】
項目１，項目３および項目６に関連する資料を検索した結果が検索件数として表記される（第２０図のステップ１２４）。これら検索件数の全てを関連資料としてセットするのは、その情報量が膨大になる。このことを考慮して、第２２図のように関連資料についての開示階層を定めておく。
【０１５７】
第１開示階層には、項目１，項目２，項目３の全ての件数が集計され、第２開示階層には、これら３つの項目のうちの２つの項目の論理積（アンド）を取ったときの件数が集計され、そして第３開示階層には全ての項目の論理積をとったときの件数が集計される。
【０１５８】
この集計結果から配信すべき共通テーマとして、換言すれば参加者が最も共通するテーマとしては第３開示階層であることから、第２１図および第２２図の例では、開示すべき（最初に配信すべき）関連資料が４件ヒットしたことになる（第２０図のステップ１２５）。したがってこれら４件の関連資料についてのレジメ、例えば第２１図の共通項目を使用したレジメが作成されて参加者が所持するＰＤＡ１３および／又は大型映像表示装置５に配信される（第２０図のステップ１２６，１２７）。検索対象とする重み係数の設定などは任意である。
【０１５９】
また、第２１図において、上述したようなグループ分けの概念に基づいて関連資料の検索、収集を行うこともできる。例えば共通項目として項目４〜項目８まで選択されたとき、各共通項目での一番人数の多い項目同士を括って第１のグループとし、次に人数の多い項目同士を括って第２のグループとすると言った整理処理を行って、第１グループから関連資料の検索、収集を行う。そのとき、例えば重み係数を参照して関連資料の開示階層化を行うことになる。
【０１６０】
上述した実施の形態は、センター１００側で自動的に共通テーマを選択して参加者に提示する配信システムを説明したが、コミュニティー会場からテーマを募り、そのテーマの中から重み付けを行って配信すべき共通関心事項を抽出することもできる。以下にその具体例を説明する。これはテーマを募りながら対話を実現するので、サロン形態の配信システムと言える。
【０１６１】
サロン形式とするには、第２３図のように複数の参加者で構成されるコミュニティー会場がサロン１３０となり、この参加者の中から１人だけリーダ格となる参加者を選び出す。リーダはテーマを選択する権限が与えられる。したがってリーダは、リーダのみがセンター１００に対して例えば大型映像表示装置５に映像を映す選択権が与えられる。
【０１６２】
第２４図はそのときの配信手順であって、第１６図で説明したように参加者のプロファイル情報を参照して作成されたグループ化された共通関心事項を抽出し、それらについてのデータセットのレジメが参加者全員に配信される（ステップ１２１〜１２６）。配信されたレジメのうちでそのサロンで使用するテーマはリーダが選択する（ステップ１４１）。センター１００では選択したテーマに関する資料が大型映像表示装置５および又は携帯端末装置１３に配信されて表示される（ステップ１４２，１４３）。
【０１６３】
テーマについてさらに話題などの提供が参加者から携帯端末装置１３を介してそれぞれの参加者に配信され、それらの細かな選択は何れもリーダを通して行う。このようにリーダを立てることで、センター１００とのインタラクティブな対話を通じて参加者間の情報の共有をはかることができる。
【０１６４】
第２５図はそのときに使用する携帯端末装置１３の実施の形態を示す。この場合には携帯端末装置１３の一部にリーダキーＬＫが設けられ、参加者によってサロン形式のコミュニティー会場とすることが決定したあとで、このリーダキーＬＫが押されると、リーダキーＬＫが操作されたことを示す情報が基地装置を介してセンター１００側に送信される。これによってセンター１００はリーダキーＬＫのみの指示を受け付けるように処理され、処理結果後の情報は参加者に配信される他、大型映像表示装置５にも配信される。リーダキーＬＫの解除によって通常のデータ配信に復帰する。
【０１６５】
上述した実施の形態では、プロファイル情報記憶手段をセンター１００側に装備した場合を説明したが、基地装置側にこのプロファイル情報や配信情報、端末情報あるいは個人識別データなどの記憶手段を、それぞれ基地装置側に備え、携帯端末装置と基地装置との間だけで上述したような通信および配信を行うように配信システムなどを構築できることは言うまでもない。
【０１６６】
その場合には、その詳細説明は割愛するが、基地装置側にはプロファイル情報の記憶手段や、アナウンス情報の記憶手段など、センター１００側で処理されるのと同じ内容の手段が備えられることになる。
【０１６７】
また、特定の基地装置がカバーするエリアに存在する携帯端末装置保持者によってコミュニティーを形成し、この携帯端末装置保持者が参加者となって、基地装置あるいはセンターとの通信を行い、特定の情報を配信する配信システムなどについて説明したが、センターに接続された複数の基地装置のエリアで構成されるコミュニティー同士を通信で結び、相互に接続された複数の基地装置およびそれに付随して設けられた大型映像表示装置を用いて上述した情報の交換や配信を行うこともできる。
【０１６８】
参加者同士の意思の疎通により、共通のテーマなどが決定されて、提供された共通の話題に基づいて更に参加者同士のコミュニティーが深まる。テーマの決定は予めセンター１００側で用意するか、参加者のプロファイル情報から抽出するか、参加者同士で決定するかなど色々な選定態様が考えられる。
【０１６９】
したがって傾向の著しい項目（代表概念）の順にグループ化する。グループ化したときの人数の多さは、上述した傾向の著しさを示すものであるから、このグループを例えば人数の多さによって重みを付ける。重み付けをおこなうことによって、最初は最も数値の大きな複数の代表概念同士で第１のグループを形成し、次に数値の大きな代表概念同士を括って第２のグループを形成するように、順次グループ化しておく。このグループ化によって、このグループを次の共通テーマとして選択する基準として利用できる。
【０１７０】
産業上の利用可能性
この発明にかかる配信システムおよび配信方法は、ネットワークで接続された場所に大型映像表示装置、基地装置などを備えることによって、他の基地装置で取得した映像などを表示したり、中央処理装置からの情報（広告映像など）を基地装置のサービスエリア内の携帯端末装置に配信したり、サービスエリア内の携帯端末装置使用者に自己のプロファイル情報などを配信したり、サービスエリア内の使用者同士のコミュニケーションをとったり、単一若しくは複数のサービスエリアを単一および複数のコミュニティー広場として使用することで、それぞれのサービスエリア内に存在する使用者（参加者）相互のコミュニケーションを取ったりする配信システムおよび配信方法として適用することができる。
【図面の簡単な説明】
第１図は、本発明に係る配信システムの一例を示す概略構成図である。第２図は、自装置映像の確認を示す図である。第３図は、配信システムの構成例である。第４図はＰＤＡの外観図である。第５図は、ＰＤＡのブロック図である。第６図は、基地装置のブロック図である。第７図は、中央処理装置のブロック図である。第８図は、基地装置とＰＤＡとの情報のやり取りの流れを示す図である。第９図は、個人の識別の流れを示す図である。第１０図は、課金の仕組みを説明する図である。第１１図は情報の暗号化を説明する図である。第１２図は、暗号化処理キー情報を格納したＩＣメモリのＰＤＡへの装着を示す図である。第１３図は、携帯端末装置の持つ処理機能を説明する図である。第１４図は、携帯端末装置同士のデータ交換を説明する図である。第１５図は、本発明の配信システムの他の例を示す要部の構成図である。第１６図は、プロファイル情報の一例を示す図である。第１７図は参加者へのプロファイル情報配信手順例を示す図である。第１８図は、プロファイル情報の送信モードを設定するメニュー例を示す図である。第１９図は、共通関心事項を抽出するためのテーブル例を示す図である。第２０図は、テーマの配信手順例を示すフローチャートである。第２１図は、プロファイル情報例である。第２２図は関連資料の開示階層例である。第２３図は、サロン形式の配信システムの一例を示す図である。第２４図は、サロン形式の配信方法の一例を示すフローチャートである。第２５図は、リーダキーを配列したＰＤＡの外観図である。第２６図は、従来の移動通信用携帯端末装置のブロック図である。第２７図は、従来の大型映像装置と携帯端末装置を組み合わせた配信システムの構成例である。
【図１】
0004867125.tif 000002
【図２】
0004867125.tif 000003
【図３】
0004867125.tif 000004
【図４】
0004867125.tif 000005
【図５】
0004867125.tif 000006
【図６】
0004867125.tif 000007
【図７】
0004867125.tif 000008
【図８】
0004867125.tif 000009
【図９】
0004867125.tif 000010
【図１０】
0004867125.tif 000011
【図１１】
0004867125.tif 000012
【図１２】
0004867125.tif 000013
【図１３】
0004867125.tif 000014
【図１４】
0004867125.tif 000015
【図１５】
0004867125.tif 000016
【図１６】
0004867125.tif 000017
【図１７】
0004867125.tif 000018
【図１８】
0004867125.tif 000019
【図１９】
0004867125.tif 000020
【図２０】
0004867125.tif 000021
【図２１】
0004867125.tif 000022
【図２２】
0004867125.tif 000023
【図２３】
0004867125.tif 000024
【図２４】
0004867125.tif 000025
【図２５】
0004867125.tif 000026
【図２６】
0004867125.tif 000027
【図２７】
0004867125.tif 000028